(57)【要約】      （修正有）【課題】ボーナスとＡＴの両方を備える遊技機において、複数の設定値を設けて払出率を制御しつつ、これに伴うデータ量の増大化を抑える。【解決手段】ＡＴ許容抽選の当選確率は各設定値で同じであり、ＡＴ許容抽選はボーナス遊技状態やボーナス内部当選状態では行わないようにする。また、複数種類のボーナス役を設け、ボーナス内部当選状態において持ち越されているボーナス役の種類を報知する。このとき、ボーナス役に当選してから当該ボーナス役の種類を報知するまでの報知ゲーム数を設定値が高くなるほど少なく設定すると、ＡＴ許容抽選が行われないボーナス内部当選状態の滞在期間が高設定ほど短くなるため、ＡＴ許容抽選の当選確率が各設定値で同じであっても、ＡＴ許容状態への移行について設定値で差を設けることができる。一方、ＡＴ許容抽選にかかるボーナス役の当選確率は、各設定値で同じであるため、抽選値の共通化を図ることができる。【選択図】図１０
2018050933.tif 000002
【特許請求の範囲】
【請求項１】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、
前記停止操作手段の操作態様によって遊技者に付与する有利度の異なる特定役と、複数種類のボーナス役とを含む複数の役のうちのいずれの役に当選したか否かを決定する役抽選を行う役抽選手段と、
払出率が予め定められた複数の設定値のなかから一の設定値に設定する設定値設定手段と、
前記役抽選手段の役抽選結果が前記特定役に当選している特定役当選結果となったときに当該特定役に対応する有利な操作態様を特定可能に報知する特殊遊技を行う特殊遊技制御手段と、
前記ボーナス役の当選した遊技において、全ての前記可変表示列が停止したときの図柄組合せが当該ボーナス役の入賞にかかる図柄組合せでなければ、当該ボーナス役の入賞にかかる図柄組合せとなるまで当該ボーナス役の当選を持ち越すボーナス内部当選状態とする持ち越し手段と、
少なくとも前記ボーナス内部当選状態中を除く一般遊技状態であって、かつ、前記特殊遊技を許容しない特殊遊技非許容状態において、前記特殊遊技を許容する特殊遊技許容状態とするか否かを決定する許容状態決定手段と、
前記特殊遊技非許容状態と前記特殊遊技許容状態との間の状態移行を制御する状態移行制御手段と、
前記ボーナス内部当選状態において持ち越されている前記ボーナス役の種類を報知するボーナス種類報知手段と、
前記ボーナス種類報知手段を制御する報知制御手段と、
を備え、
前記複数の設定値として、第１の設定値と、該第１の設定値よりも前記払出率が高い第２の設定値とがあり、
前記許容状態決定手段により前記特殊遊技許容状態にすると決定される確率は前記複数の設定値で同じであり、
前記一般遊技状態かつ前記特殊遊技非許容状態における前記役抽選手段の決定結果が、前記ボーナス役の当選を含む決定結果の一部である特別結果であるときは、前記許容状態決定手段により前記特殊遊技許容状態とすると決定される可能性があり、
前記状態移行制御手段は、前記特別結果に基づいて前記許容状態決定手段により前記特殊遊技許容状態にすると決定された場合は、当該特別結果にかかる前記ボーナス役に入賞するまでは前記特殊遊技許容状態への移行を待機するように制御し、
前記複数種類のボーナス役のうち、一のボーナス役に入賞させることができる前記停止操作手段の操作態様では、他の一のボーナス役に入賞させることができないように構成されており、
前記ボーナス役に当選してから当該ボーナス役の種類が報知されるまでの期間の平均値が、前記第１の設定値よりも前記第２の設定値の方が小さくなるように前記報知制御手段が前記ボーナス種類報知手段を制御することにより、前記状態移行制御手段により制御される前記特殊遊技許容状態への移行の待機期間を、前記第１の設定値よりも前記第２の設定値の方が短く設定可能に構成されている
ことを特徴とする遊技機。
【請求項２】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、
前記停止操作手段の操作態様によって遊技者に付与する有利度の異なる特定役と、複数種類のボーナス役とを含む複数の役のうちのいずれの役に当選したか否かを決定する役抽選を行う役抽選手段と、
払出率が予め定められた複数の設定値のなかから一の設定値に設定する設定値設定手段と、
前記役抽選手段の役抽選結果が前記特定役に当選している特定役当選結果となったときに当該特定役に対応する有利な操作態様を特定可能に報知する特殊遊技を行う特殊遊技制御手段と、
前記ボーナス役の当選した遊技において、全ての前記可変表示列が停止したときの図柄組合せが当該ボーナス役の入賞にかかる図柄組合せでなければ、当該ボーナス役の入賞にかかる図柄組合せとなるまで当該ボーナス役の当選を持ち越すボーナス内部当選状態とする持ち越し手段と、
少なくとも前記ボーナス内部当選状態中を除く一般遊技状態であって、かつ、前記特殊遊技を許容しない特殊遊技非許容状態において、前記特殊遊技を許容する特殊遊技許容状態とするか否かを決定する許容状態決定手段と、
前記特殊遊技非許容状態と前記特殊遊技許容状態との間の状態移行を制御する状態移行制御手段と、
当選している前記ボーナス役の種類を報知するボーナス種類報知手段と、
前記ボーナス種類報知手段の報知を制御するボーナス種類報知制御手段と、
を備え、
前記複数の設定値として、第１の設定値と、該第１の設定値よりも前記払出率が高い第２の設定値とがあり、
前記許容状態決定手段により前記特殊遊技許容状態にすると決定される確率は前記複数の設定値で同じであり、
前記一般遊技状態かつ前記特殊遊技非許容状態における前記役抽選手段の決定結果のうち、前記ボーナス役の当選を含む決定結果として、前記一般遊技状態かつ前記特殊遊技非許容状態のときには前記許容状態決定手段により前記特殊遊技許容状態とすると決定される可能性がある特別結果と、前記一般遊技状態かつ前記特殊遊技非許容状態のときであっても前記許容状態決定手段により前記特殊遊技許容状態とすると決定される可能性がない非特別結果とがあり、
前記状態移行制御手段は、前記特別結果に基づいて前記許容状態決定手段により前記特殊遊技許容状態にすると決定された場合は、当該特別結果にかかる前記ボーナス役に入賞するまでは前記特殊遊技許容状態への移行を待機するように制御し、
前記複数種類のボーナス役のうち、一のボーナス役に入賞させることができる前記停止操作手段の操作態様では、他の一のボーナス役に入賞させることができないように構成されており、
前記役抽選手段の役抽選において、前記特別結果となる確率は前記複数の設定値で同じであるが、前記非特別結果となる確率は前記第１の設定値よりも前記第２の設定値の方が低く設定されており、
前記ボーナス種類報知制御手段は、前記特殊遊技許容状態で前記ボーナス役に当選した場合は、前記複数の設定値で共通の報知条件が成立した場合に当該ボーナス役の種類が前記ボーナス種類報知手段で報知されるように制御し、
前記特殊遊技許容状態で前記ボーナス役に当選した場合は、当該ボーナス役が、前記特別結果にかかるものである場合に限り、当該ボーナス役の入賞により移行したボーナス遊技状態の終了後も前記特殊遊技許容状態を継続する
ことを特徴とする遊技機。
【請求項３】
前記ボーナス種類報知制御手段は、前記特殊遊技非許容状態で前記ボーナス役に当選した場合は、前記ボーナス役に当選してから当該ボーナス役の種類が報知されるまでの期間の平均値が、前記第１の設定値よりも前記第２の設定値の方が小さくなるように、前記ボーナス種類報知手段を制御することを特徴とする請求項２に記載の遊技機。
【請求項４】
前記複数の役は、当選確率が前記複数の設定値で同じである所定役を含み、
前記役抽選手段の決定結果として、前記所定役の当選ではあるが前記ボーナス役の当選ではない特殊結果を含み、
前記特殊結果は、前記ボーナス内部当選状態であるときには前記許容状態決定手段の決定契機とはならないが、前記ボーナス内部当選状態でないときには前記許容状態決定手段の決定契機となることを特徴とする請求項１ないし３のいずれか１項に記載の遊技機。
【発明の詳細な説明】
【技術分野】
【０００１】
本発明は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機に関する。
【背景技術】
【０００２】
遊技機の一つであるスロットマシンでは、遊技者が所持するメダルの数を増やすための手段として、通常状態よりも小役の当選確率が高く設定されたボーナス遊技や、より配当が高い役に入賞するための情報が報知されるアシストタイム（いわゆる、ＡＴ）が設けられたものがある。ＡＴが設けられたスロットマシンでは、役抽選の当選役として、配当が異なる複数の役に同時に当選する同時当選役が設定される。この同時当選役は、ストップスイッチの押し順などによって、どの構成役に入賞するかが予め定められている。アシストタイム中に同時当選役に当選した場合は、最も配当が高い構成役に入賞するための押し順が報知されることで所持するメダルが増えるように構成されている。また、この種の遊技機では、複数の設定値を設けて払出率（払出枚数÷投入枚数×１００[％]）を制御できるようになっている。例えば、特許文献１に記載のスロットマシンでは、ボーナスとＡＴの両方が設けられ、設定値が高くなるにつれて、ボーナス（ＢＢ）やＡＴの出現率が高くなるように設計されている。
【先行技術文献】
【特許文献】
【０００３】
【特許文献１】特開２００５−３９３号公報（段落０００５２、図８ほか）
【発明の概要】
【発明が解決しようとする課題】
【０００４】
このような遊技機では、役抽選に関するデータ（抽選値）を設定値ごとに個別に設ける必要があるのに加えて、ＡＴ移行抽選に関するデータ（抽選値）も設定値ごとに個別に設ける必要があるため、遊技を実行するために必要なデータ量が大きくなる。スロットマシンなどでは、データ記憶領域の容量に制約がある場合があるため、役抽選やＡＴ移行抽選に関するデータ量を極力小さくしたいという要請がある。
【０００５】
本発明は、上記課題に鑑みてなされたものであり、ボーナスとＡＴの両方を備える遊技機において、複数の設定値を設けて払出率を制御しつつ、これに伴うデータ量の増大化を抑えることを目的とする。
【課題を解決するための手段】
【０００６】
上記した目的を達成するために、本発明にかかる遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、前記停止操作手段の操作態様によって遊技者に付与する有利度の異なる特定役と、複数種類のボーナス役とを含む複数の役のうちのいずれの役に当選したか否かを決定する役抽選を行う役抽選手段と、払出率が予め定められた複数の設定値のなかから一の設定値に設定する設定値設定手段と、前記役抽選手段の役抽選結果が前記特定役に当選している特定役当選結果となったときに当該特定役に対応する有利な操作態様を特定可能に報知する特殊遊技を行う特殊遊技制御手段と、前記ボーナス役の当選した遊技において、全ての前記可変表示列が停止したときの図柄組合せが当該ボーナス役の入賞にかかる図柄組合せでなければ、当該ボーナス役の入賞にかかる図柄組合せとなるまで当該ボーナス役の当選を持ち越すボーナス内部当選状態とする持ち越し手段と、少なくとも前記ボーナス内部当選状態中を除く一般遊技状態であって、かつ、前記特殊遊技を許容しない特殊遊技非許容状態において、前記特殊遊技を許容する特殊遊技許容状態とするか否かを決定する許容状態決定手段と、前記特殊遊技非許容状態と前記特殊遊技許容状態との間の状態移行を制御する状態移行制御手段と、前記ボーナス内部当選状態において持ち越されている前記ボーナス役の種類を報知するボーナス種類報知手段と、前記ボーナス種類報知手段を制御する報知制御手段とを備え、前記複数の設定値として、第１の設定値と、該第１の設定値よりも前記払出率が高い第２の設定値とがあり、前記許容状態決定手段により前記特殊遊技許容状態にすると決定される確率は前記複数の設定値で同じであり、前記一般遊技状態かつ前記特殊遊技非許容状態における前記役抽選手段の決定結果が、前記ボーナス役の当選を含む決定結果の一部である特別結果であるときは、前記許容状態決定手段により前記特殊遊技許容状態とすると決定される可能性があり、前記状態移行制御手段は、前記特別結果に基づいて前記許容状態決定手段により前記特殊遊技許容状態にすると決定された場合は、当該特別結果にかかる前記ボーナス役に入賞するまでは前記特殊遊技許容状態への移行を待機するように制御し、前記複数種類のボーナス役のうち、一のボーナス役に入賞させることができる前記停止操作手段の操作態様では、他の一のボーナス役に入賞させることができないように構成されており、前記ボーナス役に当選してから当該ボーナス役の種類が報知されるまでの期間の平均値が、前記第１の設定値よりも前記第２の設定値の方が小さくなるように前記報知制御手段が前記ボーナス種類報知手段を制御することにより、前記状態移行制御手段により制御される前記特殊遊技許容状態への移行の待機期間を、前記第１の設定値よりも前記第２の設定値の方が短く設定可能に構成されていることを特徴としている。
【０００７】
この構成によると、役抽選結果が特別結果のときに、許容状態決定手段により特殊遊技許容状態にすると決定された場合は、特別結果のボーナス役が入賞するまでは特殊遊技許容状態への移行を待機する。また、当該特別結果から持ち越しているボーナス役の種類が報知されるまでの期間の平均値は、第１の設定値よりも第２の設定値の方が小さくなるように制御する。この場合、許容状態決定手段により特殊遊技許容状態に移行すると決定されることがない待機期間の平均値が、第１の設定値よりも第２の設定値の方が短くなる。したがって、同じ遊技期間で比較した場合は、第１の設定値よりも第２の設定値の方が特殊遊技許容状態に移行する回数の期待値を高くすることができるため、特殊遊技許容状態への移行に関して設定値で差を設けることができる。また、前記許容状態決定手段により前記特殊遊技許容状態にすると決定される確率が各設定値で同じであるため、例えば、許容状態決定手段の決定がＡＴ移行抽選テーブルに基づいて行うように構成した場合は、各設定で共通のデータ（抽選値）を使用することができる。すなわち、特殊遊技許容状態への移行のし易さに差を設けるために、設定値ごとにデータ（抽選値）を設ける必要がない。
【０００８】
また、本発明にかかる他の遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、前記停止操作手段の操作態様によって遊技者に付与する有利度の異なる特定役と、複数種類のボーナス役とを含む複数の役のうちのいずれの役に当選したか否かを決定する役抽選を行う役抽選手段と、払出率が予め定められた複数の設定値のなかから一の設定値に設定する設定値設定手段と、前記役抽選手段の役抽選結果が前記特定役に当選している特定役当選結果となったときに当該特定役に対応する有利な操作態様を特定可能に報知する特殊遊技を行う特殊遊技制御手段と、前記ボーナス役の当選した遊技において、全ての前記可変表示列が停止したときの図柄組合せが当該ボーナス役の入賞にかかる図柄組合せでなければ、当該ボーナス役の入賞にかかる図柄組合せとなるまで当該ボーナス役の当選を持ち越すボーナス内部当選状態とする持ち越し手段と、少なくとも前記ボーナス内部当選状態中を除く一般遊技状態であって、かつ、前記特殊遊技を許容しない特殊遊技非許容状態において、前記特殊遊技を許容する特殊遊技許容状態とするか否かを決定する許容状態決定手段と、前記特殊遊技非許容状態と前記特殊遊技許容状態との間の状態移行を制御する状態移行制御手段と、当選している前記ボーナス役の種類を報知するボーナス種類報知手段と、前記ボーナス種類報知手段の報知を制御するボーナス種類報知制御手段とを備え、前記複数の設定値として、第１の設定値と、該第１の設定値よりも前記払出率が高い第２の設定値とがあり、前記許容状態決定手段により前記特殊遊技許容状態にすると決定される確率は前記複数の設定値で同じであり、前記一般遊技状態かつ前記特殊遊技非許容状態における前記役抽選手段の決定結果のうち、前記ボーナス役の当選を含む決定結果として、前記一般遊技状態かつ前記特殊遊技非許容状態のときには前記許容状態決定手段により前記特殊遊技許容状態とすると決定される可能性がある特別結果と、前記一般遊技状態かつ前記特殊遊技非許容状態のときであっても前記許容状態決定手段により前記特殊遊技許容状態とすると決定される可能性がない非特別結果とがあり、前記状態移行制御手段は、前記特別結果に基づいて前記許容状態決定手段により前記特殊遊技許容状態にすると決定された場合は、当該特別結果にかかる前記ボーナス役に入賞するまでは前記特殊遊技許容状態への移行を待機するように制御し、前記複数種類のボーナス役のうち、一のボーナス役に入賞させることができる前記停止操作手段の操作態様では、他の一のボーナス役に入賞させることができないように構成されており、前記役抽選手段の役抽選において、前記特別結果となる確率は前記複数の設定値で同じであるが、前記非特別結果となる確率は前記第１の設定値よりも前記第２の設定値の方が低く設定されており、前記ボーナス種類報知制御手段は、前記特殊遊技許容状態で前記ボーナス役に当選した場合は、前記複数の設定値で共通の報知条件が成立した場合に当該ボーナス役の種類が前記ボーナス種類報知手段で報知されるように制御し、前記特殊遊技許容状態で前記ボーナス役に当選した場合は、当該ボーナス役が、前記特別結果にかかるものである場合に限り、当該ボーナス役の入賞により移行したボーナス遊技状態の終了後も前記特殊遊技許容状態を継続することを特徴としている。
【０００９】
この構成によると、特殊遊技許容状態への移行にかかる特別結果となる確率が第１の設定値と第２の設定値とで同じであるため、特殊遊技許容状態への移行に関しては設定値で差がないが、特殊遊技許容状態の終了にかかる非特別結果となる確率は、第１の設定値よりも第２の設定値の方が低いため、第１の設定値よりも第２の設定値の方が特殊遊技許容状態の継続期間が長くなる。したがって、特殊遊技許容状態の継続期間について設定値で差を設けることができる。また、役抽選で特別結果となる確率は各設定値で同じであるため、役抽選に用いられる抽選テーブルにおいて、特別結果のデータ（抽選値）を各設定値で共用することができる。そのため、特殊遊技許容状態への移行にかかる特別結果の当選確率を各設定値で異ならせることにより、特殊遊技許容状態に関して設定差を設ける構成と比較して、役抽選に必要なデータ量の削減を図ることができる。
【００１０】
また、前記ボーナス種類報知制御手段は、前記特殊遊技非許容状態で前記ボーナス役に当選した場合は、前記ボーナス役に当選してから当該ボーナス役の種類が報知されるまでの期間の平均値が、前記第１の設定値よりも前記第２の設定値の方が小さくなるように、前記ボーナス種類報知手段を制御するようにしてもよい。
【００１１】
この構成によると、第２の設定値の方が第１の設定値よりも当選したボーナス役に容易に入賞させることができるため、ボーナス内部当選状態の期間は第１の設定よりも第２の設定値の方が短くなる。この場合、同じ遊技期間で比較すると、許容状態決定手段により特殊遊技許容状態に移行すると決定され得る状態の滞在比率は、第２の設定値は第１の設定値よりも高くなるため、許容状態決定手段で特殊遊技許容状態にすると決定される確率に設定値の差を設けない構成であっても、特殊遊技許容状態への移行回数の期待値を第２の設定値と第１の設定値とで差を設けることができる。
【００１２】
また、前記複数の役は、当選確率が前記複数の設定値で同じである所定役を含み、前記役抽選手段の決定結果として、前記所定役の当選ではあるが前記ボーナス役の当選ではない特殊結果を含み、前記特殊結果は、前記ボーナス内部当選状態であるときには前記許容状態決定手段の決定契機とはならないが、前記ボーナス内部当選状態でないときには前記許容状態決定手段の決定契機となるようにしてもよい。
【００１３】
この構成によると、ボーナス役の当選のみならず、設定値で当選確率が同じ所定役に当選したときも許容状態決定手段の決定契機となるため、所定役の役抽選に必要なデータ量を大きくせずに、特殊遊技許容状態の移行に関する設定差を設けることができる。
【図面の簡単な説明】
【００１４】
【図１】本発明の第１実施形態にかかる遊技機の一例であるスロットマシンの斜視図である。
【図２】リールの図柄を示す図であって、（ａ）は各リールの図柄配列を示し、（ｂ）は図柄の種類を示す図である。
【図３】図１のスロットマシンの電気的構成を示すブロック図である。
【図４】図２のメイン制御基板およびサブ制御基板の機能を示す機能ブロック図である。
【図５】第１実施形態のスロットマシンの遊技を説明するための図である。
【図６】役名称と入賞にかかる図柄組合せとの関係および入賞したときの配当（払出数）を示す図である。
【図７】当選役グループと役構成との関係を示す図である。
【図８】設定値とボーナス種類の報知ゲーム数との関係の一例を示す図である。
【図９】設定値とボーナス種類の報知ゲーム数との関係の他の例を示す図である。
【図１０】設定１と設定６のゲーム展開の一例を示す図である。
【図１１】本発明の第２実施形態の設定１と設定６のゲーム展開の一例を示す図である。
【発明を実施するための形態】
【００１５】
＜第１実施形態＞
本発明の第１実施形態について、図１〜図１０を参照して説明する。
【００１６】
（構成）
本実施形態に係る遊技機の一例であるスロットマシン１は、予め設定された複数の遊技状態のうちのいずれかの遊技状態において、メダルなどの遊技媒体が規定数（例えば、３枚）投入され、後述するスタートスイッチ１９が操作されることを条件に一回の遊技が実行開始されるものであり、図１のように構成されている。
【００１７】
筐体３の前面は、前面扉５により開閉自在に閉塞され、この前面扉５のほぼ中央高さの位置に操作板７が配設される。操作板７の上方に正面板９が配設されている。正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。左・中・右リール１３Ｌ，１３Ｍ，１３Ｒには、図２に示すように、複数種類の図柄（この実施形態では、「Ｒ７（赤７）」「Ｂ７（青７）」「Ｇ７（緑７）」「Ｗ７（白７）」「ＢＥ（ベル）」「ＷＭ１（スイカ１）」「ＷＭ２（スイカ２）」「Ｃ１」「ＢＬ」）が合計２０個、所定の配列でそれぞれ設けられている。
【００１８】
また、各図柄には、０番から１９番までのコマ番号が順に付されている。この場合、例えば、コマ番号０番から１９番までの図柄が印刷されたリールテープが各リール１３Ｌ，１３Ｍ，１３Ｒの周面に貼り付けられている。そして、各リール１３Ｌ，１３Ｍ，１３Ｒが回転すると、コマ番号１９番、１８番、…、０番、１９番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、この実施形態では、入賞判定に使用される表示窓１１内の入賞ラインとして、左リール１３Ｌの中段、中リール１３Ｍの中段、右リール１３Ｒの中段により構成されるいわゆる中段ラインが設定されている。
【００１９】
また、各リール１３Ｌ，１３Ｍ，１３Ｒを独立して回転駆動できるように、各リール１３Ｌ，１３Ｍ，１３Ｒそれぞれには、ステッピングモータで構成されるリールモータ１４Ｌ，１４Ｍ，１４Ｒ（図３参照）が連結されている。なお、各リール１３Ｌ，１３Ｍ，１３Ｒと各々のリールモータ１４Ｌ，１４Ｍ，１４Ｒとで構成されたリールユニット（図示省略）によりスロットマシン１の表示手段が構成されている。
【００２０】
更に、操作板７には、内部に貯留されているクレジットメダルから１枚ずつのメダル投入を指示するためのベットスイッチ１５、クレジットメダルから１ゲーム（遊技）あたりの最大投入枚数（ここでは３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ（停止操作手段）、クレジットメダルを払い出すための精算スイッチ２３、およびメダル投入口２５が設けられている。なお、この実施形態では、１ゲームに必要なメダル投入数（規定数）は、３枚の１種類が設定されている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２１】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられている。液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２２】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルのメダル払出口３９や、このメダル払出口３９から払い出されるメダルを受けるメダル受け４１が設けられている。また、正面板９には入賞ラインが描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２３】
また、クレジット表示器４５の下方には、入賞時のメダルの払い出し枚数を表示するためのペイアウト表示器４６が配設される。この表示器４６は、クレジット表示器４５と同様、２個の７セグメントＬＥＤで構成されている。なお、ペイアウト表示器４６は、エラー情報の表示に兼用される。
【００２４】
また、正面板９の表示窓１１の下方には、左ストップスイッチ２１Ｌ，中ストップスイッチ２１Ｍ，右ストップスイッチ２１Ｒを操作する順番や、役抽選の結果など、メイン制御基板６３の制御に関する情報を報知（表示）するための報知用表示器６０が配設されている。報知用表示器６０は、例えば２個の７セグメントＬＥＤを備えている。したがって、両７セグメントＬＥＤそれぞれが有する各セグメントの点灯態様を変化させることによって、例えば、各ストップスイッチ２１Ｌ，２１Ｍ，２１Ｒの操作順序や操作タイミング等の操作様態を報知できるように構成されている。
【００２５】
また、各リール１３Ｌ，１３Ｍ，１３Ｒを支持する支持枠体が、筐体３内の後壁に固定されている。筐体３内の支持枠体の下方には、メダルをメダル払出口３９に排出するためのホッパーユニット４３（図３参照）が配設されている。また、メダル投入口２５付近の裏面側には、メダル投入口２５に投入されたメダルが正規のものか否かを選別して正規のメダルのみをホッパーユニット４３に導くメダルセレクタ４８（図３参照）が配設されている。また、スロットマシン１の正面から見てホッパーユニット４３の左側には、操作ボックス４９（図３参照）が筐体３内の左側壁に固定されている。この操作ボックス４９には、電源のＯＮ、ＯＦＦを切り換える電源スイッチ５０（図３参照）が設けられるとともに、設定変更処理用のキーシリンダからなる変更処理開始スイッチ５６（図３参照）、設定変更時の設定値の切り換えを行うのに用いられるリセットスイッチ５２（図３参照）が設けられている。なお、リセットスイッチ５２は、エラーが発生した際のエラー解除や、許容状態滞在比率を表示するためのスイッチとしても用いられる。
【００２６】
続いて、スロットマシン１の電気的な構成について図３を参照して説明する。
【００２７】
図３に示すように、投入センサ５３が、筐体３内部のメダル投入口２５近傍であってメダルセレクタ４８部分に設けられ、メダル投入口２５に投入されたメダルを１枚ずつ検出する。払出センサ５４が、ホッパーユニット４３の出口に設けられ、メダル払出口３９に払い出されるメダルを１枚ずつ検出する。
【００２８】
左・中・右位置センサ５５Ｌ，５５Ｍ，５５Ｒは、左・中・右リール１３Ｌ，１３Ｍ，１３Ｒの回転位置をそれぞれ検出するもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号１９番の図柄が表示窓１１の中段に位置するように構成されている。
【００２９】
ホッパーモータ５７は、ホッパーユニット４３に配設されて、その駆動によりメダルをメダル払出口３９に向けて払い出す。
【００３０】
許容状態報知ランプ８０は、スロットマシン１の状態が、後述するＡＴ許容状態（本発明の「特殊遊技許容状態」に相当）であることを報知するためのもので、例えば、ＬＥＤランプで形成されている。この実施形態では、ＡＴ許容状態のときは許容状態報知ランプ８０が点灯され、ＡＴ非許容状態（本発明の「特殊遊技非許容状態」に相当）のときは消灯される。
【００３１】
また、スロットマシン１には、遊技の進行に関する制御を行うメインＣＰＵ６１が実装されたメイン制御基板６３と、メイン制御基板６３から送信された情報に基づき遊技の進行に合わせた演出の制御を行うサブＣＰＵ７１が実装されたサブ制御基板７３とが別々に設けられ、メイン制御基板６３からサブ制御基板７３に対して一方向に各種のデータが送信される。なお、メイン制御基板６３は、外部から不正にアクセスすることができないように、基板ケース内に厳重に封印されている。また、基板ケースには、不正に解放されたことを確実に視認することができるように、種々の対策が講じられている。
【００３２】
また、図３に示すように、メイン制御基板６３のＲＡＭ６５は、メインＣＰＵ６１内部の記憶容量であり、スロットマシン１の遊技状態などの遊技に関するデータを一時的に記憶するものであって、図４に示すフラグ格納領域６５１、決定結果記憶領域６５２、許容期間遊技数カウンタ６５３、ＡＴ期間遊技数カウンタ６５４、総遊技数カウンタ６５５、総許容期間遊技数カウンタ６５６、許容状態滞在比率記憶領域６５７を構成する記憶領域がＲＡＭ６５により形成される。また、図３に示すように、メイン制御基板６３のＲＯＭ６７は、メインＣＰＵ６１内部の記憶容量であり、図４に示す予め設定されたデータである役抽選テーブル６７１、停止テーブル６７２、ＡＴ初期ゲーム数振分テーブル６７３、ＡＴ上乗せ抽選テーブル６７４、報知ゲーム数決定テーブル６７５などを含むスロットマシン１用のプログラム（遊技機用プログラム）を格納する。
【００３３】
メイン制御基板６３のメインＣＰＵ６１は、タイマ割込などの割込機能を有し、ＲＯＭ６７に記憶された遊技機用プログラムを実行することにより、遊技の進行に関する処理を行う。このメインＣＰＵ６１は、後述する役抽選手段１０３による役抽選処理における役抽選結果に関するデータ、各ストップスイッチ２１Ｌ，２１Ｍ，２１Ｒ、スタートスイッチ１９等の遊技者により操作される操作器具の操作に関するデータなどの種々のデータを、所定のコマンド形式でサブ制御基板７３（サブＣＰＵ７１）に送信する。
【００３４】
サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種のデータ（役抽選手段１０３による役抽選処理における役抽選結果、各ストップスイッチ２１Ｌ，２１Ｍ，２１Ｒ、スタートスイッチ１９等の操作器具が操作されたか、などに関するデータ）に基づいてメモリ７５に格納されたプログラムを実行し、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３５】
（メイン制御基板）
次に、メイン制御基板６３について、図４を参照して詳細に説明する。図４に示すように、メイン制御基板６３は、ＲＯＭ６７に格納されたプログラムを実行することにより実現される種々の機能や、ハードウェアが制御されることにより実現される種々の機能を備えている。
【００３６】
（１）遊技制御手段１００
図４の遊技制御手段１００は、予め設定された複数の遊技状態のうちのいずれかの遊技状態においてスロットマシン１の遊技を制御するものである。具体的には、図５に示すように、遊技制御手段１００は、一般遊技状態（初期ＲＴ（ＮＯＭ）、通常ＲＴ（ＲＴ１）、有利ＲＴ（ＲＴ２）、ボーナス内部当選状態（ＲＴ３））において一般的な遊技を実行し、ボーナス役（ＲＢＢ）の入賞により移行する、一般遊技状態（ＮＯＭ、ＲＴ１、ＲＴ２、ＲＴ３）よりも遊技者に有利なボーナス遊技状態（ＲＢＢ）においてボーナス遊技を実行する。
【００３７】
また、ボーナス遊技とは異なる遊技者に有利な遊技として、後述する役抽選手段１０３の役抽選結果が、各ストップスイッチ２１Ｌ，２１Ｍ，２１Ｒの操作手順によって遊技者に付与する有利度の異なる特定役（左正解ベル１〜４、中正解ベル１〜４、右正解ベル１〜４（押し順ベル）：図７参照）に当選している特定役当選結果となったときに、当該特定役に対応する有利な各ストップスイッチ２１Ｌ，２１Ｍ，２１Ｒの操作手順（押し順）を特定可能に報知するＡＴ遊技（特殊遊技）がある。遊技制御手段１００は、ＡＴ許容状態、かつ、ＡＴ期間（特殊遊技継続期間）中の遊技において役抽選手段１０３の役抽選結果が特定役当選結果である場合はＡＴ遊技を行う。ここで、遊技制御手段１００によるＡＴ遊技を実行する機能が、本発明の「特殊遊技制御手段」に相当する。
【００３８】
そして、遊技制御手段１００は、図４に示すように、操作態様判定手段１００ａ、遊技状態設定手段１００ｂ、ＡＴ許容状態設定手段１００ｃ、初期ゲーム数決定手段１００ｄ、上乗せ抽選手段１００ｅ、ＡＴ遊技可能状態決定手段１００ｆを備えている。
【００３９】
（１−１）操作態様判定手段１００ａ
操作態様判定手段１００ａは、スロットマシン１に対する遊技者の操作態様を判定するものである。具体的には、各ベットスイッチ１５，１７、スタートスイッチ１９、各ストップスイッチ２１Ｌ，２１Ｍ，２１Ｒなどのスロットマシン１が備える各種スイッチに対する遊技者による操作の態様や、メダル投入口２５への遊技者によるメダルの投入操作の態様など、遊技者によるスロットマシン１に対する種々の操作の態様を判定する。
【００４０】
（１−２）遊技状態設定手段１００ｂ
遊技状態設定手段１００ｂは、役抽選手段１０３による役抽選処理の結果や、図柄判定手段１１１による有効ライン（中段ライン）上の図柄組合せの判定結果などに基づいて、予め設定された複数の遊技状態のうちのいずれか１つにスロットマシン１の遊技状態を設定するものである。
【００４１】
具体的には、図５に示すように、この実施形態では、遊技状態として、初期ＲＴ（ＮＯＭ）、通常ＲＴ（ＲＴ１）、有利ＲＴ（ＲＴ２）、ボーナス内部当選状態（ＲＴ３）、ボーナス遊技状態（ＲＢＢ）を備えている。初期ＲＴ（ＮＯＭ）は、後述する設定変更時やボーナス遊技状態（ＲＢＢ）の終了後に移行する遊技状態である。
【００４２】
図５に示すように、初期ＲＴ（ＮＯＭ）において、押し順ベル（左正解ベル１〜４、中正解ベル１〜４、右正解ベル１〜４：図７参照）の取りこぼしが生じると、遊技状態設定手段１００ｂは遊技状態を通常ＲＴ（ＲＴ１）に設定し、遊技状態が通常ＲＴ（ＲＴ１）に移行する。なお、押し順ベルの取りこぼしとは、押し順ベルの種類に応じて設定された有利な押し順（払出枚数９枚）以外の押し順でストップスイッチ２１Ｌ，２１Ｍ，２１Ｒを操作したことにより、役名称「ＢＥ」、「ＡＴＡ１〜ＡＴＡ８」にいずれにも入賞できなかったことをいう（有利な配当の取りこぼし）。
【００４３】
また、通常ＲＴ（ＲＴ１）において、昇格リプレイ（図７参照）に当選した場合、遊技状態設定手段１００ｂは遊技状態を有利ＲＴ（ＲＴ２）に設定し、遊技状態が有利ＲＴ（ＲＴ２）に移行する。また、有利ＲＴ（ＲＴ２）において、押し順ベルの取りこぼしが生じると、遊技状態設定手段１００ｂは遊技状態を通常ＲＴ（ＲＴ１）に設定し、遊技状態が通常ＲＴ（ＲＴ１）に移行する。
【００４４】
初期ＲＴ（ＮＯＭ）、通常ＲＴ（ＲＴ１）、有利ＲＴ（ＲＴ２）では、それぞれ異なる役抽選テーブル６７１を用いて役抽選が行われる。例えば、通常ＲＴ（ＲＴ１）では通常ＲＴ用の役抽選テーブル６７１が使用される。この場合、通常ＲＴ用の役抽選テーブル６７１は、設定値ごとに役抽選の対象となる当選役グループそれぞれに所定の抽選値が設定されている。
【００４５】
また、図５に示すように、初期ＲＴ（ＮＯＭ）、通常ＲＴ（ＲＴ１）、有利ＲＴ（ＲＴ２）のいずれかの遊技状態において、複数種類のボーナス役（ＲＢＢ１〜ＲＢＢ６４：図６、図７参照）のいずれかに当選した際、入賞ライン上に当選したボーナス役にかかる入賞図柄が停止しなかった場合は、非入賞となる。この場合、遊技状態設定手段１００ｂは遊技状態を、当選したボーナス役の持ち越し状態であるボーナス内部当選状態（ＲＴ３）に設定し、遊技状態がボーナス内部当選状態（ＲＴ３）に移行する。ここで、複数種類のボーナス役（ＲＢＢ１〜ＲＢＢ６４：図６、図７参照）のいずれかに当選した際、入賞ライン上に当選したボーナス役にかかる入賞図柄が停止しなかった場合に、遊技状態設定手段１００ｂが遊技状態をボーナス内部当選状態（ＲＴ３）に設定する機能が、本発明の「持ち越し手段」に相当する。
【００４６】
また、ボーナス内部当選状態（ＲＴ３）において、持ち越されているボーナス役にかかる入賞図柄が入賞ライン上に停止した場合は入賞となる。この場合、遊技状態設定手段１００ｂは遊技状態をボーナス遊技状態（ＲＢＢ）に設定し、遊技状態がボーナス遊技状態（ＲＢＢ）に移行する。また、ボーナス遊技状態（ＲＢＢ）は、いずれの種類のボーナス役に入賞して移行したものであっても、メダルの払出枚数が１００枚を超えるという共通の終了条件が定められており、遊技状態設定手段１００ｂは、ボーナス遊技状態（ＲＢＢ）の終了条件が成立したときに遊技状態を初期ＲＴ（ＮＯＭ）に設定し、遊技状態が初期ＲＴ（ＮＯＭ）に移行する。なお、ボーナス遊技状態の終了条件は、適宜変更可能である。
【００４７】
（１−３）ＡＴ許容状態設定手段１００ｃ
ＡＴ許容状態設定手段１００ｃは、ＡＴ遊技を許容しないＡＴ非許容状態（特殊遊技非許容状態）、および、ＡＴ遊技を許容するＡＴ許容状態（特殊遊技許容状態）のいずれか１つにスロットマシン１の状態を設定するものである。遊技状態が、ＡＴ非許容状態、かつ、一般遊技状態（初期ＲＴ（ＮＯＭ）、通常ＲＴ（ＲＴ１）、有利ＲＴ（ＲＴ２））のときに、当選役グループ「ＲＢＢ１」〜「ＲＢＢ６４」のいずれかに当選した場合（本発明の「特別結果」に相当）、ＡＴ許容状態設定手段１００ｃは、当該ボーナス役に入賞したときにスロットマシン１をＡＴ許容状態に設定する。すなわち、ＡＴ許容状態設定手段１００ｃは、当選役グループ「ＲＢＢ１」〜「ＲＢＢ６４」に当選した場合において、当該ゲーム（当選ゲーム）で当選したボーナス役に入賞した場合は、そのとき（入賞時）にスロットマシン１をＡＴ許容状態に設定するが、当該ゲームで入賞せずにボーナス内部当選状態（ＲＴ３）に移行した場合は、持ち越しているボーナス役に入賞するのを待って、スロットマシン１をＡＴ許容状態に設定する。したがって、当選役グループ「ＲＢＢ１」〜「ＲＢＢ６４」のいずれかに当選した場合は、ボーナス内部当選状態（ＲＴ３）は、ＡＴ許容状態に移行するまでの待機期間となる。
【００４８】
なお、遊技状態が、ＡＴ非許容状態、かつ、一般遊技状態（初期ＲＴ（ＮＯＭ）、通常ＲＴ（ＲＴ１）、有利ＲＴ（ＲＴ２））のときに当選役グループ「ＲＢＢ１＋通常リプレイ」〜「ＲＢＢ６４＋通常リプレイ」のいずれかに当選した場合（本発明の「非特別結果」に相当）は、ＡＴ許容状態設定手段１００ｃがスロットマシン１をＡＴ許容状態に設定することはない。これらの当選役グループに当選した場合は、ボーナス役（役名称「ＲＢＢ１」〜「ＲＢＢ６４」）および再遊技役（役名称「ＲＰＣ」）の同時当選となるが、これらの当選ゲームでは、いずれも再遊技役に優先的に入賞するようにリールの停止制御が行われる。ここで、役名称「ＲＰＣ」は取りこぼしが発生しない役のため、当該ゲームでは必ず役名称「ＲＰＣ」に入賞し、これに伴って遊技状態がボーナス内部当選状態（ＲＴ３）に移行する。
【００４９】
なお、遊技状態が、ＡＴ非許容状態、かつ、一般遊技状態（初期ＲＴ（ＮＯＭ）、通常ＲＴ（ＲＴ１）、有利ＲＴ（ＲＴ２））のときに、当選役グループ「特殊役」（本発明の「所定役」に相当）に当選した場合においても、ＡＴ許容状態設定手段１００ｃが、スロットマシン１をＡＴ許容状態に設定するようにしてもよい。なお、当選役グループ「特殊役」は、入賞するまでの持ち越し状態が設定されないため、ＡＴ許容状態設定手段１００ｃは、当選役グループ「特殊役」に当選した場合は、入賞するか否かに関わらず、当選したときにスロットマシン１をＡＴ許容状態に設定する。ただし、ＡＴ非許容状態であっても、ボーナス遊技状態（ＲＢＢ）、ボーナス内部当選状態（ＲＴ３）のいずれかのときに、当選役グループ「特殊役」に当選しても、ＡＴ許容状態設定手段１００ｃはＡＴ許容状態を設定することはなくＡＴ非許容状態を維持する。ＡＴ許容状態と決定しない制御は適宜定めることができるが、この場合のＡＴ許容状態設定手段１００ｃの処理方法の１つとして、ＡＴ非許容状態であるときに当選役グループ「特殊役」に当選した場合、遊技状態の種類とは無関係に一度はＡＴ許容状態に設定するが、そのときの遊技状態がボーナス遊技状態（ＲＢＢ）、ボーナス内部当選状態（ＲＴ３）のいずれかのときは、一度決定したＡＴ許容状態を直ちにクリアしたり、また、ＡＴ非許容状態からＡＴ許容状態への更新を行わなかったりする方法がある。その他の処理方法としては、ＡＴ許容状態設定手段１００ｃは、ＡＴ許容状態に設定する前に、遊技状態の種類を判定し、この判定結果がボーナス遊技状態（ＲＢＢ）、ボーナス内部当選状態（ＲＴ３）のいずれかの場合は、ＡＴ許容状態に設定する処理を行わないようにする方法がある。なお、この実施形態のように、抽選値判定決定手段１０３ｂが役抽選とＡＴ許容抽選とを同時に行う場合（一括抽選方式とも言い、詳細は後述する。）は、前者の処理方法が好適であり、役抽選とＡＴ許容抽選とを個別に行う場合（別抽選方式とも言い、詳細は後述する。）は、後者の処理方法が好適である。
【００５０】
このとき、ＡＴ許容状態設定手段１００ｃは、許容状態報知ランプ８０を点灯することにより、ＡＴ許容状態であることを特定可能に報知する。ＡＴ許容状態であることを外部に報知することにより、スロットマシン１がＡＴ許容状態でないときにＡＴ遊技が実行された場合に、スロットマシン１が異常状態であって故障や不正の可能性があることを即座に判断することができる。
【００５１】
ところで、押し順ベル（左正解ベル１〜４、中正解ベル１〜４、右正解ベル１〜４）に当選しても、ＡＴ期間以外は「ＢＥ」役に入賞する押し順が分からないため、初期ＲＴ（ＮＯＭ）や有利ＲＴ（ＲＴ２）に留まることが困難である。したがって、通常は遊技状態が通常ＲＴ（ＲＴ１）であるときにＡＴ許容当選し、ＡＴ許容状態設定手段１００ｃがスロットマシン１をＡＴ許容状態に設定する。
【００５２】
また、当選役グループ「ＲＢＢ１」〜「ＲＢＢ６４」にかかるボーナス役の入賞により
ＡＴ許容状態設定手段１００ｃがスロットマシン１をＡＴ許容状態に設定した後、当該ボーナス遊技状態ＲＢＢが終了すると、非ＡＴ中からＡＴ準備中となる。ボーナス遊技状態ＲＢＢの終了後は、遊技状態が初期ＲＴ（ＮＯＭ）に移行するため、ＡＴ準備中は、初期ＲＴ（ＮＯＭ）から開始する。ＡＴ準備中は、初期ＲＴ（ＮＯＭ）から有利ＲＴ（ＲＴ２）に移行するまでの間継続する。すなわち、初期ＲＴ（ＮＯＭ）において、押し順ベルの取りこぼしでＡＴ準備中の通常ＲＴ（ＲＴ１）に移行する。そして、通常ＲＴ（ＲＴ１）のＡＴ準備中において当選役グループ「昇格リプレイ」に当選すると、次のゲームから有利ＲＴ（ＲＴ２）に移行するとともに、ＡＴ準備中が終了してＡＴ期間が開始する。ＡＴ期間中は、役抽選手段１０３の役抽選結果が特定役当選結果（押し順ベル当選）である場合にストップスイッチ２１Ｌ，２１Ｍ，２１Ｒの有利な操作手順を報知するＡＴ遊技を実行可能なＡＴ遊技可能状態となる。なお、この実施形態では、ＡＴ期間中は、通常ＲＴ（ＲＴ１）よりも再遊技役の当選確率が高く設定された有利ＲＴ（ＲＴ２）に移行している期間であるため、いわゆるＡＲＴとなる。
【００５３】
また、ＡＴ許容状態設定手段１００ｃは、ＡＴ期間遊技数カウンタ６５４にカウント値を設定された後、ＡＴ期間が開始すると、押し順ベルに当選するか否かに関わらず遊技が実行される毎にＡＴ期間遊技数カウンタ６５４のカウント値から１を減算することにより、ＡＴ期間遊技数（ＡＴ実行権利）の残りゲーム数をカウントする。また、ＡＴ許容状態設定手段１００ｃは、スロットマシン１をＡＴ許容状態に設定（許容状態報知ランプ８０を点灯）した後の遊技において、遊技の種類に関係なく遊技が実行される毎に許容期間遊技数カウンタ６５３のカウント値に１を加算することにより、ＡＴ許容状態の継続期間をカウントする。
【００５４】
また、ＡＴ許容状態設定手段１００ｃは、ＡＴ期間遊技数カウンタ６５４のカウント値が０になるというＡＴ許容状態の終了条件が成立した場合、または、当該終了条件が成立することなく、許容期間遊技数カウンタ６５３のカウント値が所定値（例えば、１５００）となった場合は、スロットマシン１をＡＴ非許容状態に設定する（ＡＴ許容状態の終了）。また、ＡＴ許容状態設定手段１００ｃは、スロットマシン１をＡＴ非許容状態に設定する際に許容状態報知ランプ８０を消灯する。このとき、ＡＴ許容状態設定手段１００ｃは、許容期間遊技数カウンタ６５３のカウント値を「０」にリセットするとともに、総許容期間遊技数カウンタ６５６に、リセットする前のカウント値を加算する。
【００５５】
なお、ＡＴ許容状態設定手段１００ｃは、ＡＴ期間遊技数カウンタ６５４のカウント値が０になったタイミングではＡＴ許容状態を維持し、ＡＴ期間遊技数カウンタ６５４のカウント値が０になった後の転落抽選に当選するとＡＴ非許容状態に設定するようにしてもよい。転落抽選については、例えば、ＡＴ期間の終了後、当選役グループ「特殊役」以外の当選役グループに当選したゲームごとに行われ、１／８の確率で転落（当選）するように構成する。また、転落抽選に当選するまでの間に当選役グループ「ＲＢＢ１」〜「ＲＢＢ６４」のいずれかに当選した場合は、例えば、上乗せ抽選手段１００ｅにより上乗せゲーム数が決定されて当該ボーナスの終了後にＡＴ期間に復帰する。
【００５６】
なお、転落抽選に当選するまでの間に当選役グループ「特殊役」に当選した場合においても、上乗せ抽選手段１００ｅにより上乗せゲーム数が決定されてＡＴ期間に復帰するようにしてもよい。この構成の場合、ＡＴ期間が終了してから転落抽選に当選するまでの間に押し順ベルに当選した場合は、液晶表示器２７や報知用表示器６０で有利な押し順を報知するようにしてもよい。このようにすると、転落抽選に当選するまでの間は、有利ＲＴ（ＲＴ２）が維持されるため、ＡＴ復帰後直ちにＡＲＴを行うことができる。
【００５７】
また、ＡＴ許容状態の終了条件は、ＡＴ許容当選となった後の条件（ＡＴ許容後の役抽選結果、ＡＴ許容状態に移行してからの経過ゲーム数、ＡＴ許容状態に移行してからのメダルの獲得枚数）などに応じて適宜変更してもよい。ＡＴ許容状態の終了条件を様々に変更できることにより、より一層の遊技性向上を図ることができる。
【００５８】
（１−４）初期ゲーム数決定手段１００ｄ
ＡＴ非許容状態で当選役グループ「ＲＢＢ１」〜「ＲＢＢ６４」（図７参照）のいずれかに当選した場合、後述する役抽選手段１０３の抽選値判定決定手段１０３ｂによりスロットマシン１をＡＴ許容状態とすることを決定する（ＡＴ許容当選）。初期ゲーム数決定手段１００ｄは、抽選値判定決定手段１０３ｂがスロットマシン１をＡＴ許容状態とすることを決定した遊技において、ＡＴ遊技を実行する権利の初期的な継続期間（初期期間：初期ゲーム数）を、ＡＴ初期ゲーム数振分テーブル６７３（図４）を用いた抽選により決定するものである。
【００５９】
ＡＴ初期ゲーム数振分テーブル６７３は、例えば、３０ゲーム、５０ゲームがそれぞれ１／２の確率で選択されるように設定されている。初期ゲーム数決定手段１００ｄは、初期ゲーム数を決定すると、そのゲーム数をＡＴ期間遊技数カウンタ６５４にセットする。なお、ＡＴ初期ゲーム数振分テーブル６７３は、例えば、０ゲーム、３０ゲーム、５０ゲームがそれぞれ１／３の確率で選択されるように設定するなど、ＡＴ許容当選してもＡＴ期間が設定されない場合があるように構成してもよい。この場合、初期ゲーム数決定手段１００ｄにより０ゲームが選択された場合は、当選役グループ「ＲＢＢ１」〜「ＲＢＢ６４」のボーナス役のいずれかに入賞してＡＴ許容状態に設定されてから、当該ボーナス遊技状態ＲＢＢが終了した後、１ゲームのＡＴ遊技が行われるとＡＴ許容状態が終了するようにしてもよいし、１ゲームのＡＴ遊技の後、所定の転落抽選に当選するとＡＴ許容状態が終了するようにしてもよい。
【００６０】
なお、初期ゲーム数決定手段１００ｄは、役抽選手段１０３の役抽選に用いられる抽選値と同一の抽選値を利用して上記した振り分け抽選を行うことによりＡＴ期間の初期ゲーム数を決定してもよいし、振り分け用の乱数値（抽選値）を新たに生成し、これを利用して上記した振り分けを行うようにしてもよい。また、初期ゲーム数決定手段１００ｄによる初期ゲーム数の決定は、当選役グループ「ＲＢＢ１」〜「ＲＢＢ６４」のいずれかに当選してから、当該ボーナス遊技状態が終了後のＡＴ準備状態が終了するまでの間であれば、いずれのタイミングで行ってもよい。
【００６１】
（１−５）上乗せ抽選手段１００ｅ
上乗せ抽選手段１００ｅは、ＡＴ許容状態設定手段１００ｃがスロットマシン１をＡＴ許容状態に設定していることを条件に、当選役グループ「ＲＢＢ１」〜「ＲＢＢ６４」（図７参照）のいずれかに当選したときに、初期ゲーム数に加算するゲーム数（上乗せゲーム数）を決定するものである。具体的には、スタートスイッチ１９の操作による遊技開始に基づいて役抽選手段１０３の抽選値生成手段１０３ａが生成した抽選値により抽選値判定決定手段１０３ｂがＡＴ遊技を行う権利を付与することを決定すると（ＡＴ権利当選）、上乗せ抽選手段１００ｅは、ＡＴ上乗せ抽選テーブル６７４（図４参照）を用いて上乗せゲーム数の振分抽選（ゲーム数上乗せ抽選）を行う。ＡＴ上乗せ抽選テーブル６７４は、例えば、３０ゲーム、５０ゲームがそれぞれ１／２の確率で選択されるように設定されている。なお、上乗せ抽選手段１００ｅによるゲーム数の上乗せは、ＡＴ許容状態中の当選役グループ「特殊役」に当選したときに行ってもよい。
【００６２】
なお、ＡＴ上乗せ抽選テーブル６７４では、必ずゲーム数の上乗せがあるように構成されていてもよいし、ゲーム数の上乗せがないハズレに振り分けられる場合を設け、当選役グループ「特殊役」に当選したにも関わらず、所定の確率で上乗せゲーム数を獲得できないようにしてもよい。
【００６３】
また、ＡＴ上乗せ抽選テーブル６７４は、それぞれ各設定値（出玉率）で共通のものを用いつつ、各テーブル６７４を、ＡＴ許容後の役抽選結果、役抽選の履歴、ＡＴ許容後からの経過ゲーム数、ＡＴ許容後からのメダルの獲得枚数などに応じて適宜変更してもよい。このようにすると、役抽選に用いる抽選値によりＡＴ権利当選か否かを一意に決定するようにしてセキュリティ性の向上を図る一方で、上乗せ抽選手段１００ｅがどのように上乗せを行うかを自由に設計することができるので、ＡＴ遊技の設計の自由度を高めることができる。
【００６４】
また、上乗せ抽選手段１００ｅは、役抽選手段１０３の役抽選に用いられる抽選値と同一の抽選値を利用して上記したゲーム数上乗せ抽選を行ってもよいし、乱数値（抽選値）を新たに生成し、これを利用してゲーム数上乗せ抽選を行ってもよい。
【００６５】
（１−６）ＡＴ遊技可能状態決定手段１００ｆ
上述のように、当選役グループ「ＲＢＢ１」〜「ＲＢＢ６４」のいずれかへの当選によりボーナス遊技状態ＲＢＢに移行し、該ボーナス遊技状態ＲＢＢが終了するとＡＴ準備中になるが、このＡＴ準備中の通常ＲＴ（ＲＴ１）において、当選役グループ「昇格リプレイ」に当選すると、遊技状態が通常ＲＴ（ＲＴ１）から有利ＲＴ（ＲＴ２）に移行する。この場合、ＡＴ遊技可能状態決定手段１００ｆは、役抽選手段１０３の役抽選結果が押し順ベルの場合にＡＴ遊技を行うことができるＡＴ遊技可能状態であると決定し、フラグ格納領域６５１に設定されているＡＴ期間中フラグをＯＮに設定する。
【００６６】
また、ＡＴ遊技可能状態決定手段１００ｆは、ＡＴ期間遊技数カウンタ６５４によりカウントされているＡＴ期間遊技数のゲーム数が残っている場合は、ＡＴ期間中フラグのＯＮ設定を維持する。また、ＡＴ遊技可能状態決定手段１００ｆは、ＡＴ期間遊技数カウンタ６５４のカウント値が０になると、ＡＴ期間中フラグをＯＦＦに設定する。なお、ＡＴ期間の終了後に転落抽選を行い、この抽選に当選するとＡＴ許容状態が終了するように構成した場合は、ＡＴ期間中フラグがＯＦＦに設定されたタイミングではＡＴ許容状態は終了せずに、ＡＴ期間中フラグがＯＦＦに設定された後の転落抽選に当選したときにＡＴ許容状態が終了する。
【００６７】
（１−７）遊技の概略
次に、スロットマシン１において実行される遊技の概略について説明する。
【００６８】
スロットマシン１は、３枚のメダルの投入により１回のゲーム（遊技）が行われるように構成され、投入センサ５３、ベットスイッチ１５または最大ベットスイッチ１７により３枚のメダルのスロットマシン１への投入が検出されると、表示窓１１の中央（中段）の水平な入賞ライン（センターライン）が有効となる。ここでスタートスイッチ１９が操作されると、乱数を使用した抽選処理により、予め設定された役抽選結果のいずれかが役抽選手段１０３による抽選処理により選択される。また、左・中・右リール１３Ｌ，１３Ｍ，１３Ｒの全ての回転が開始すると、表示窓１１に表示される各リール１３Ｌ，１３Ｍ，１３Ｒの図柄の判別が各リール１３Ｌ，１３Ｍ，１３Ｒの回転角に基づいて開始される。
【００６９】
その後、左・中・右リール１３Ｌ，１３Ｍ，１３Ｒが加速して、すべてのストップスイッチ２１Ｌ，２１Ｍ，２１Ｒの操作が有効となり、すべてのストップスイッチ２１Ｌ，２１Ｍ，２１Ｒの操作が有効となった後、左ストップスイッチ２１Ｌの操作が検出されると左リール１３Ｌが停止され、中ストップスイッチ２１Ｍの操作が検出されると中リール１３Ｍが停止され、右ストップスイッチ２１Ｒの操作が検出されると右リール１３Ｒが停止される。このように、各ストップスイッチ２１Ｌ，２１Ｍ，２１Ｒの操作により、各ストップスイッチ２１Ｌ，２１Ｍ，２１Ｒに対応する左・中・右リール１３Ｌ，１３Ｍ，１３Ｒの回転が停止される。
【００７０】
３個すべての左・中・右ストップスイッチ２１Ｌ，２１Ｍ，２１Ｒのすべてが操作されると、左・中・右リール１３Ｌ，１３Ｍ，１３Ｒの回転が停止される。このとき、所定の図柄が有効となった表示窓１１の中段の入賞ライン上の所定の位置に停止すると、すなわち、各リール１３Ｌ，１３Ｍ，１３Ｒの図柄が役への入賞に係る図柄組合せで表示窓１１に表示されると入賞となり、入賞態様に応じた枚数のメダルが、クレジットされるか、メダル払出口３９から払い出される。なお、メダルの払い出しに代えて、あるいはメダルの払い出しとともに、遊技者に対して所定の利益（特典）が付与されることもある。この所定の利益としては、例えば、後述のボーナス役の入賞によるボーナス遊技状態（ＲＢＢ）への移行や後述の再遊技役の入賞による新たなメダルを投入することなく当該入賞遊技と同じ賭数で次遊技を行うために自動的に設定される賭数および遊技状態の移行等が挙げられる。
【００７１】
図６に示すように、役の種類として、ボーナス役と、再遊技役、小役とが予め設定されている。ボーナス役は、ボーナス遊技状態への移行役である。再遊技役（以下、リプレイとも称することがある）は、入賞すると、新たなメダルを投入することなく当該入賞遊技と同じ賭数で次遊技行うことができる役である。小役は、入賞すると所定の配当（払出数）が得られる役である。
【００７２】
・ボーナス役
ボーナス役は、役名称「ＲＢＢ１」〜「ＲＢＢ６４」の６４種類設定されている。各ボーナス役の入賞図柄は、図柄「Ｒ７（赤７）」、「Ｂ７（青７）」、「Ｇ７（緑７）」、「Ｗ７（白７）」の４種類で構成される。具体的には、図２（ａ）に示すように、各リール１３Ｌ，１３Ｍ，１３Ｒには、これらの４種類の「７」図柄がそれぞれ１つずつ配置されており、３つのリール１３Ｌ，１３Ｍ，１３Ｒと４種類の「７」図柄とにより６４（４３＝６４）通りのボーナス入賞図柄の組合せが形成され、これにより６４種類のボーナス役（役名称「ＲＢＢ１」〜「ＲＢＢ６４」）が設定されている。ここで、例えば、役名称「ＲＢＢ１」にかかる図柄組合せ（Ｒ７−Ｒ７−Ｒ７）や役名称「ＲＢＢ６４」かる図柄組合せ（Ｗ７−Ｗ７−Ｗ７）で各リール１３Ｌ，１３Ｍ，１３Ｒが停止するとボーナス入賞となって、遊技状態がボーナス遊技状態（ＲＢＢ）に移行する。なお、この実施形態では、各ボーナス役に入賞しても配当がないように構成したが、所定の枚数の配当を付与してもよい。
【００７３】
・再遊技役
再遊技役は、役名称「ＲＰＣ」、「ＲＰＵ１」、「ＲＲＵ２」の３種類設定されている。ここで、役名称「ＲＰＣ」は遊技状態の移行に無関係な再遊技役であり、当選役グループ「通常リプレイ」の構成役である。役名称「ＲＰＵ１」、「ＲＰＵ２」はいずれも遊技状態の移行にかかる再遊技役であり、当選役グループ「昇格リプレイ」の構成役である。なお、再遊技役の入賞にかかる図柄組合せが入賞ラインに揃うと、新たなメダルを投入することなく、１つ前のゲームと同じ条件でゲームを行うことができる。
【００７４】
・小役
小役は、役名称「ＢＥ」、「ＡＴＡ１」〜「ＡＴＡ８」、「ＣＨ」の１０種類設定されている。ここで、役名称「ＢＥ」は当選役グループ「左正解ベル１」〜「左正解ベル５」、「中正解ベル１」〜「中正解ベル４」、「右正解ベル１」〜「右正解４」（押し順ベル）それぞれの構成役であり、押し順ベルの種類ごとに設定された正解の押し順でストップスイッチ２１Ｌ，２１Ｍ，２１Ｒが操作されると入賞する役（払出枚数９枚）として設定されている。役名称「ＡＴＡ１」〜「ＡＴＡ８」は、押し順ベルの構成役であり、押し順ベルの種類ごとに設定された正解の押し順でストップスイッチ２１Ｌ，２１Ｍ，２１Ｒが操作されなかったときに入賞し得る役（払出枚数９枚）として設定されている。役名称「ＣＨ」は、当選役グループ「特殊役」の構成役であり、ＡＴ許容抽選やゲーム数上乗せ抽選が行われる役として設定されている。なお、役名称「ＣＨ」の入賞にかかる図柄組合せが入賞ラインに揃うと、１枚のメダルが払い出される。
【００７５】
（２）設定制御手段１０１
図４の設定制御手段１０１（本発明の「設定値設定手段」に相当）は、払出率の異なる複数の設定値（設定１〜設定６）から一の設定値を設定するものである。この設定値は、後述するテーブル選択手段１０２により選択される役抽選テーブル６７１を選択するためのものであり、ＲＯＭ６７に格納された複数の役抽選テーブル６７１のそれぞれに各設定値のいずれかが対応付けられている。そして、設定制御手段１０１は、電源投入時（電源スイッチ５０をＯＮにした時）に変更処理開始スイッチ５６のＯＮ、ＯＦＦ状態を判定し、変更処理開始スイッチ５６がＯＮの状態で電源が投入されると、所定の設定変更処理を開始する。なお、払出率は総払出枚数÷総投入枚数×１００[％]で算出され、この実施形態では、払出率が設定１で９８％、設定６で１１５％に設定されている。
【００７６】
ここで、初期ＲＴ（ＮＯＭ）、通常ＲＴ（ＲＴ１）、有利ＲＴ（ＲＴ２）の各遊技状態での抽選における当選確率は複数種類の設定値（ここでは６種類）により区別される複数段階に設定されており、複数段階の設定値のそれぞれに、図４に示す役抽選テーブル６７１が対応付けられている。そして、上記設定変更処理が開始されると、スロットマシン１を設置するパチンコホールの管理者が、この設定値を変更することが可能になる。このときにリセットスイッチ５２が用いられ、設定変更処理が開始された後に、リセットスイッチ５２が押される度に、設定値が１ずつ増加して変更できるようになっている。なお、設定６のときにリセットスイッチ５２が押されると、設定１に戻る。
【００７７】
（３）テーブル選択手段１０２
図４のテーブル選択手段１０２は、メイン制御基板６３における遊技制御手段１００により制御される遊技状態の種類（ＮＯＭ，ＲＴ１，ＲＴ２、ＲＴ３、ＲＢＢなど）、設定制御手段１０１により設定される設定値（設定１〜設定６）に基づき、図４に示す複数の役抽選テーブル６７１から１つの抽選テーブルを選択するものである。例えば通常ＲＴ（ＲＴ１）では、テーブル選択手段１０２は、役抽選テーブルとして、入賞確率の設定値（設定１〜設定６）に応じて役抽選テーブル６７１（通常ＲＴ用役抽選テーブル）を選択する。
【００７８】
（４）役抽選手段１０３
図４の役抽選手段１０３は、スタートスイッチ１９が操作されて遊技を開始するタイミングで、押し順ベルおよびリプレイ役を含む複数の一般役（小役、再遊技役）と、６４種類のボーナス役とを含む複数の役（図６、図７参照）のうちのいずれの役に当選したか否かを、遊技開始に基づいて生成される抽選値により決定する役抽選を行うものである。また、役抽選手段１０３は、ＡＴ非許容状態において、初期ＲＴ（ＮＯＭ）、通常ＲＴ（ＲＴ１）、有利ＲＴ（ＲＴ２）である場合には、役抽選に用いられる抽選値と同じ抽選値を用いて、ＡＴ許容状態とするＡＴ許容役に当選（ＡＴ許容当選）か否かを決定する。また、役抽選手段１０３は、ＡＴ許容状態において、初期ＲＴ（ＮＯＭ）、通常ＲＴ（ＲＴ１）、有利ＲＴ（ＲＴ２）である場合には、役抽選に用いられる抽選値と同じ抽選値を用いて、ＡＴ権利役に当選（ＡＴ権利当選）か否かを決定する。役抽選手段１０３は、抽選値生成手段１０３ａと、抽選値判定決定手段１０３ｂとを備えている。
【００７９】
（４−１）抽選値生成手段１０３ａ
抽選値生成手段１０３ａは、発振回路と、この発振回路が発生させたクロック信号をカウントするカウンタ回路とによって構成された乱数発生手段が、所定の範囲内（例えば、１０進数で０〜１６３８３）で発生させた抽選用の乱数を、スタートスイッチ１９が操作されたタイミングで抽出することにより、役抽選およびＡＴ許容当選決定用およびＡＴ権利当選決定用の抽選値を生成する。なお、乱数発生手段は、カウンタ回路などによって構成されるため、乱数発生手段が発生させる数値は厳密には乱数ではない。しかしながら、スタートスイッチ１９が操作されるタイミングはランダムであると考えられるため、抽選値生成手段１０３ａが生成する抽選値は、実質的には乱数として取り扱うことができる。なお、抽選値生成手段１０３ａは、乱数発生器が生成する乱数により抽選値を生成してもよいし、ソフトウェア乱数により抽選値を生成してもよい。また、抽選値生成手段１０３ａは、抽出した乱数値や生成した乱数値に所定の演算を行うことにより抽選値を生成してもよい。
【００８０】
（４−２）抽選値判定決定手段１０３ｂ
抽選値判定決定手段１０３ｂは、抽選値生成手段１０３ａが生成した抽選値を判定することにより、複数の当選役グループのうちのいずれに当選したか否かを決定する。
【００８１】
具体的には、役抽選テーブル６７１には、乱数発生手段が発生させる範囲内の各抽選値について、図７に示す複数の当選役グループのうちのいずれに当選するか、または、ハズレか、を決定するための抽選値と当選役グループとの対応関係が予め設定されている。抽選値判定決定手段１０３ｂは、テーブル選択手段１０２が選択した役抽選テーブル６７１を参照し、抽選値生成手段１０３ａが生成した抽選値がどの役（当選役グループ）の当選に設定されているのか、または、ハズレに設定されているのかを判定することにより、複数の当選役グループのうちのいずれに当選したか否かを決定する。
【００８２】
すなわち、抽選値生成手段１０３ａが生成する抽選値の全範囲について、ＡＴ許容状態に移行すると決定（ＡＴ許容当選）する値の範囲と、ＡＴ許容状態に移行しないと決定（ＡＴ許容非当選）する値の範囲とが役抽選テーブル６７１に予め設定されており、抽選値判定決定手段１０３ｂは、遊技開始に基づいて抽選値生成手段１０３ａが役抽選のために生成した抽選値を、ＡＴ許容状態に移行するか否かを決定するのにも使用する（上述の一括抽選方式）。また、抽選値生成手段１０３ａが生成する抽選値の全範囲について、ＡＴ権利当選（ゲーム数上乗せ抽選）とする値の範囲と、ＡＴ権利非当選とする値の範囲とが役抽選テーブル６７１に予め設定されており、抽選値判定決定手段１０３ｂは、遊技開始に基づいて抽選値生成手段１０３ａが役抽選のために生成した抽選値を、ＡＴ許容状態においてゲーム数上乗せ抽選を行うか否かを決定するのにも使用する。なお、抽選値生成手段１０３ａは、役抽選のための抽選値とは別にＡＴ許容抽選用の乱数値（抽選値）を新たに生成し、これを利用してＡＴ許容状態に移行するか否かを決定してもよい（上述の別抽選方式）。つまり、まず役抽選により当選役を決定し、その当選役に基づいてＡＴ許容抽選用の乱数値（抽選値）を生成し、これを利用してＡＴ許容状態に移行するか否かを決定するようにしてもよい。この場合、役抽選テーブル６７１とは別にＡＴ移行抽選テーブルを設け、ＡＴ許容抽選用の乱数値とＡＴ移行抽選テーブルとにより、ＡＴ許容状態に移行するか否かを決定すればよい。なお、別抽選方式では、新たに生成したＡＴ許容抽選用の乱数値（抽選値）とＡＴ移行抽選テーブルとを用いてＡＴ許容状態に移行するか否かを決定する機能が本発明の「許容状態決定手段」に相当する。
【００８３】
また、役抽選テーブル６７１では、一部の抽選値については複数の役の当選に重複して設定されているため、抽選値判定決定手段１０３ｂが抽選値生成手段１０３ａにより生成される抽選値の全範囲について判定を行った場合に、すなわち、役抽選手段１０３の役抽選結果として、図７に示す当選役グループが構成されている。なお、図７に示す当選役グループのうち、複数の役（役名称）により構成されているものについては、内部当選すると当該当選役グループを構成する全ての役にかかる図柄組合せが入賞ラインに揃うことが許容された状態になる。
【００８４】
また、ＡＴ非許容状態において当選役グループ「ＲＢＢ１」〜「ＲＢＢ６４」のいずれかに当選するとＡＴ許容当選となり、当該ボーナス役に入賞したときにＡＴ許容状態設定手段１００ｃによりスロットマシン１がＡＴ許容状態に設定される。また、ＡＴ初期ゲーム数振分テーブル６７３（図４）を利用した振分抽選が初期ゲーム数決定手段１００ｄにより行われる。また、ＡＴ許容状態において当選役グループ「ＲＢＢ１」〜「ＲＢＢ６４」のいずれかに当選するとＡＴ権利当選となり、ＡＴ上乗せ抽選テーブル６７４（図４）に基づいてゲーム数上乗せ抽選が上乗せ抽選手段１００ｅにより行われる。
【００８５】
ここで、役抽選テーブル６７１に設定された抽選値について説明すると、初期ＲＴ用の役抽選テーブル６７１では、ボーナス役を含む当選役グループのうち、ボーナス役を含む当選役グループ「ＲＢＢ１」〜「ＲＢＢ６４」、「ＲＢＢ１＋通常リプレイ」〜「ＲＢＢ６４＋通常リプレイ」それぞれの抽選値は、各設定値で同じ値が設定される。初期ＲＴ用の役抽選テーブル６７１の残りの当選役グループの抽選値も、それぞれ所定の値に設定されているが、各設定値で変化はなく同じ値に設定されている。すなわち、初期ＲＴ（ＮＯＭ）の１回の役抽選において、ＡＴ許容当選となる当選役グループ「ＲＢＢ１」〜「ＲＢＢ６４」それぞれには、設定値に関係なく同じ確率で当選するように構成されている。なお、当選役グループ「ＲＢＢ１＋通常リプレイ」〜「ＲＢＢ６４＋通常リプレイ」については、各設定値で異なる値が設定されていてもよい。
【００８６】
通常ＲＴ用の役抽選テーブル６７１は、初期ＲＴ用の役抽選テーブル６７１と比較して再遊技役のみの当選役グループ（「通常リプレイ」、「昇格リプレイ」）の構成だけが異なる。このとき、初期ＲＴ（ＮＯＭ）では抽選しない当選役グループ「昇格リプレイ」が、通常ＲＴ（ＲＴ１）では役抽選の対象となっている（図７参照）。また、通常ＲＴ用の役抽選テーブル６７１では、これらの当選役グループ（「通常リプレイ」、「昇格リプレイ」）の抽選値の合算が、初期ＲＴ用の役抽選テーブル６７１の当選役グループ「通常リプレイ」の抽選値と同じ値に設定されている。
【００８７】
有利ＲＴ用の役抽選テーブル６７１は、初期ＲＴ用の役抽選テーブル６７１と比較して当選役グループ「通常リプレイ」の抽選値のみが異なる。有利ＲＴ用の役抽選テーブル６７１の当選役グループ「通常リプレイ」の抽選値は、初期ＲＴ用の役抽選テーブル６７１の当選役グループ「通常リプレイ」の抽選値よりも大きな値が設定される。つまり、有利ＲＴ（ＲＴ２）は、初期ＲＴ（ＮＯＭ）や通常ＲＴ（ＲＴ１）よりも、再遊技役（当選役グループ「通常リプレイ」）の当選確率が高く設定されることにより、いずれの役にも当選しないハズレとなる確率が低く設定されている。そのため、有利ＲＴ（ＲＴ２）は、初期ＲＴ（ＮＯＭ）や通常ＲＴ（ＲＴ１）よりも、遊技者に有利な遊技状態となる。
【００８８】
ボーナス内部当選状態用の役抽選テーブル６７１は、初期ＲＴ用の役抽選テーブル６７１と比較してボーナス役を含む当選役グループ「ＲＢＢ１」〜「ＲＢＢ６４」、「ＲＢＢ１＋通常リプレイ」〜「ＲＢＢ６４＋通常リプレイ」が役抽選の対象となっていないところのみ異なる。なお、この場合、ボーナス内部当選状態（ＲＴ３）の役抽選時の乱数値が、初期ＲＴ（ＮＯＭ）の役抽選で当選役グループ「ＲＢＢ１」〜「ＲＢＢ６４」に当選する抽選範囲に属する値の場合はハズレとし、初期ＲＴ（ＮＯＭ）の役抽選で当選役グループ「ＲＢＢ１＋通常リプレイ」〜「ＲＢＢ６４＋通常リプレイ」に属する値の場合は、ハズレとはせずに役名称「ＲＰＣ」のみに当選しているとしてもよい。
【００８９】
ボーナス遊技状態用の役抽選テーブル６７１は、図７に示す当選役グループのうち、小役のみで構成される当選役グループ（「左正解ベル１〜４」、「中正解ベル１〜４」、「右正解ベル１〜４」、「特殊役」）のみが役抽選の対象となるとともに、毎ゲームでこれらの全てに当選となるように設定されている。そして、ボーナス遊技状態（ＲＢＢ）中は、とりこぼしが発生しない役名称「ＢＥ」に必ず入賞するようにリールの停止制御が行われ、毎ゲームで「９枚」のメダルが払い出されるようになっている。
【００９０】
なお、ＡＴ非許容状態で抽選値判定決定手段１０３ｂが当選役グループ「ＲＢＢ１」〜「ＲＢＢ６４」のいずれかに当選したか否かを決定する機能が、本発明の「許容状態決定手段」に相当する。
【００９１】
（５）決定結果記憶手段１０４
図４の決定結果記憶手段１０４は、抽選値判定決定手段１０３ｂによる決定結果として、ボーナス役に当選しているか否かを特定可能な情報を決定結果記憶領域６５２の第１データ領域に記憶し、一般役に当選しているか否かを特定可能な情報を決定結果記憶領域６５２の第２データ領域に記憶する。
【００９２】
例えば、各ボーナス役のそれぞれに固有の１６進数の上位役番号が割り当てられ、各一般役（再遊技役、小役）のそれぞれに固有の１６進数の下位役番号が割り当てられている。そして、決定結果記憶手段１０４は、役抽選手段１０３の役抽選結果である当選役グループを構成する役（ハズレの場合を含む）に割り当てられている役番号を、決定結果記憶領域６５２の対応するデータ領域に記憶する。
【００９３】
（６）停止制御手段１０５
図４の停止制御手段１０５は、遊技者による各ストップスイッチ２１Ｌ，２１Ｍ，２１Ｒの操作態様と役抽選手段１０３の役抽選結果とに基づき、停止テーブル６７２を用いて各リール１３Ｌ，１３Ｍ，１３Ｒの停止制御を行うものである。停止制御手段１０５は、役抽選手段１０３が決定した当選役グループに属する役名称に入賞させるために、基本的にリール１３Ｌ，１３Ｍ，１３Ｒの全てで、引き込み可能範囲内において構成図柄を入賞ライン（中段）に停止させる停止制御を行う。なお、各リール１３Ｌ，１３Ｍ，１３Ｒには、許容されるすべりコマ数（引き込み可能範囲：通常、最大４コマ）が設定されているため、操作タイミングが合わなければ入賞ラインに当選役にかかる図柄を揃えることができない場合があり、このような場合は取りこぼし（非入賞）が発生する。
【００９４】
当選役グループ「ＲＢＢ１」〜「ＲＢＢ６４」は、いずれも役名称「ＲＢＢ１」〜「ＲＢＢ６４」のいずれか１つで構成されている。例えば、当選役グループ「ＲＢＢ１」の場合、入賞図柄が「Ｒ７−Ｒ７−Ｒ７」に設定されているが、図２（ａ）に示すように、図柄「Ｒ７」は、各リール１３Ｌ，１３Ｍ，１３Ｒにそれぞれ１つしか配置されていないため、ストップスイッチ２１Ｌ，２１Ｍ，２１Ｒの操作タイミングによっては入賞ラインに入賞図柄を引き込むことができない場合があり、取りこぼしが発生する可能性がある。
上述のように、役名称「ＲＢＢ１」〜「ＲＢＢ６４」は、いずれも４種類の「７」図柄の組合せであるが、図２（ａ）に示すように、４種類の「７」図柄は、全てのリール１３Ｌ，１３Ｍ，１３Ｒでそれぞれ１つずつしか配置されていない。したがって、残りの役名称「ＲＢＢ２」〜「ＲＢＢ６４」も同様に、ストップスイッチ２１Ｌ，２１Ｍ，２１Ｒの操作タイミングによっては入賞ラインに入賞図柄を引き込むことができない場合があり、取りこぼしが発生する可能性がある。
【００９５】
ところで、役名称「ＲＢＢ１」〜「ＲＢＢ６４」の入賞図柄が４種類の「７」図柄の組合せで構成さている場合であっても、例えば、各リール１３Ｌ，１３Ｍ，１３Ｒそれぞれで、その４種類の「７」図柄が４コマにかたまって配置されている場合は、どの種類のボーナス役に当選していようとも、そのかたまりを目押しすれば１回の遊技でボーナス入賞が可能である。しかしながら、この実施形態では、各リール１３Ｌ，１３Ｍ，１３Ｒは、それぞれ４種類の「７」図柄が５コマおきに配置されている（図２（ａ）参照）。この場合は、ストップスイッチ２１Ｌ，２１Ｍ，２１Ｒをどのタイミングで操作しようとも、入賞ラインには１種類の「７」図柄しか引き込まない。そのため、ボーナス役に当選しても、その種類が分からなければ、入賞させることが難しい構成となっている。
【００９６】
当選役グループ「ＲＢＢ１＋通常リプレイ」〜「ＲＢＢ６４＋通常リプレイ」は、いずれも１種類のボーナス役と１種類の再遊技役（役名称「ＲＰＣ」）とで構成されている。これらのいずれかに当選した場合は、ボーナス役と再遊技役の両方に入賞することが許容された状態になるが、この実施形態では、複数の役に同時当選した場合は、再遊技役、小役、ボーナス役の順に入賞が優先される。なお、役名称「ＲＰＣ」は、ストップスイッチ２１Ｌ，２１Ｍ，２１Ｒの操作タイミングがどのような場合であっても入賞にかかる図柄が引き込み可能な範囲にあるため、取りこぼしが発生しない。したがって、当選役グループ「ＲＢＢ１＋通常リプレイ」〜「ＲＢＢ６４＋通常リプレイ」のいずれかに当選したゲームでは、ボーナス役に入賞することはなく、必ず役名称「ＲＰＣ」に入賞し、ボーナス役の持ち越し状態であるボーナス内部当選状態（ＲＴ３）に移行する。
【００９７】
当選役グループ「通常リプレイ」は、役名称「ＲＰＣ」のみで構成されている。役名称「ＲＰＣ」は、ストップスイッチ２１Ｌ，２１Ｍ，２１Ｒの操作タイミングがどのような場合であっても入賞にかかる図柄が引き込み可能な範囲にあるため必ず入賞する。
【００９８】
当選役グループ「昇格リプレイ」は、役名称「ＲＰＵ１」、「ＲＰＵ２」で構成されている。この場合、ストップスイッチ２１Ｌ，２１Ｍ，２１Ｒの操作タイミングがどのような場合であっても構成役のどちらかの入賞にかかる図柄が引き込み可能な範囲にあるため、操作タイミングに応じて、役名称「ＲＰＵ１」、「ＲＰＵ２」のいずれかに必ず入賞する。
【００９９】
当選役グループ「左正解ベル１」は、役名称「ＢＥ」、「ＡＴＡ１」、「ＡＴＡ４」で構成されている。この場合、有利な押し順として、第１停止が左リール１３Ｌであることが設定されている。したがって、停止制御手段１０５は、最初に左ストップスイッチ２１Ｌが操作された場合は、残りのストップスイッチ２１Ｍ，２１Ｒの操作順序に関わらず、役名称「ＢＥ」が入賞するように各リール１３Ｌ，１３Ｍ，１３Ｒの停止制御を行う。役名称「ＢＥ」の入賞にかかる各図柄は、ストップスイッチ２１Ｌ，２１Ｍ，２１Ｒの操作タイミングがどのような場合であっても引き込み可能な範囲にあるため、正解の押し順で操作されると必ず入賞する。一方、第１停止が左リール１３Ｌ以外の場合、停止制御手段１０５は、ストップスイッチ２１Ｌ，２１Ｍ，２１Ｒの操作タイミングに応じて、残りの構成役（役名称「ＡＴＡ１」、「ＡＴＡ４」）のいずれかに入賞すべく各リール１３Ｌ，１３Ｍ，１３Ｒの停止制御を行う。ストップスイッチ２１Ｌ，２１Ｍ，２１Ｒの操作タイミングが、残りの構成役に入賞にかかる図柄を引き込み可能な範囲でない場合は、残りの構成役（役名称「ＡＴＡ１」、「ＡＴＡ４」）の取りこぼしが発生する。この構成によると、第１停止が左リール１３Ｌの場合は、必ず役名称「ＢＥ」に入賞して「９枚」の配当が得られるのに対して、これ以外の押し順の場合は、取りこぼしが発生して配当が得られない場合があるため、当該当選役グループは第１停止が左リール１３Ｌが有利な押し順（正解の押し順）となる。
【０１００】
残りの押し順ベル（当選役グループ「左正解ベル２〜４」、「中正解ベル１〜４」、「右正解ベル１〜４」）も当選役グループ「左正解ベル１」と同様なリールの停止制御が行われる。なお、正解の押し順については、「左正解ベル１〜４」はいずれも第１停止が左リール１３Ｌ、「中正解ベル１〜４」はいずれも第１停止が中リール１３Ｍ、「右正解ベル１〜４」はいずれも第１停止が右リール１３Ｒである。
【０１０１】
当選役グループ「特殊役」は、役名称「ＣＨ」のみで構成されている。役名称「ＣＨ」の入賞にかかる各図柄は、左リール１３Ｌおよび右リール１３Ｒでストップスイッチ２１Ｌ，２１Ｍ，２１Ｒの操作タイミングによって引き込むことができない場合がある位置に配置されているため、取りこぼしが発生する可能性がある。
【０１０２】
（７）報知表示制御手段１０６
図４の報知表示制御手段１０６は、報知用表示器６０での報知が報知態様決定手段１０７で決定された報知態様となるように制御するものである。
【０１０３】
（８）報知態様決定手段１０７
図４の報知態様決定手段１０７は、役抽選手段１０３の役抽選結果やスロットマシン１の状態（非ＡＴ、ＡＴ準備中、ＡＴ中）などに基づいて、報知用表示器６０での報知態様を決定するものである。報知態様決定手段１０７が決定した報知態様については、コマンド作成手段１０９によりその種類を特定可能なコマンドが作成され、サブ制御基板７３に送信される。例えば、ＡＴ期間中（有利ＲＴ（ＲＴ２））に押し順ベルに内部当選した場合、報知態様決定手段１０７は、その種類に応じて設定された有利な押し順を報知するという報知態様に決定する。なお、この実施形態では、報知用表示器６０の２つの７セグメントＬＥＤのうちの一方は、ストップスイッチ２１Ｌ，２１Ｍ，２１Ｒの停止操作が行われると次の停止操作を示唆する報知態様に変化するように構成されている。これに対して、他方の７セグメントＬＥＤは、報知態様の種類を特定するためのもので、報知してから最終停止まで同一の報知を継続するように構成されている。押し順を報知する方法としては、例えば、７つのセグメントうちの特定セグメントのみを点灯させると、左ストップスイッチ２１Ｌ、特定セグメントとは異なる他のセグメントのみを点灯させると中ストップスイッチ２１Ｍというように、セグメントの点灯箇所とストップスイッチ２１Ｌ，２１Ｍ，２１Ｒの種類とを対応させておき、押し順報知の際は、対応するセグメントを点灯させる。
【０１０４】
（９）ボーナス種類報知ゲーム数決定手段１０８
上述のように、この実施形態では、ボーナス役が６４種類設定されており、これに伴って入賞図柄も６４種類ある。ここで、入賞図柄の配置構成を考慮すると、当選したボーナス役の種類が分からなければ、入賞させることが困難である。そのため、この実施形態では、液晶表示器２７（本発明の「ボーナス種類報知手段」に相当）を用いて当選したボーナス役の種類を遊技者に報知するように構成されている。ボーナス種類報知ゲーム数決定手段１０８は、ボーナス役に当選してから、そのボーナス役の種類を報知するまでのゲーム数（報知ゲーム数）を決定するものである。
【０１０５】
ボーナス種類報知ゲーム数決定手段１０８による報知ゲーム数の決定態様は、ボーナス役に当選したゲームが、ＡＴ期間中であるか否かで異なる。例えば、ＡＴ期間中でないときにボーナス役を含む当選役グループに当選した場合、ボーナス種類報知ゲーム数決定手段１０８は、図８に示す報知ゲーム数決定テーブル６７５と、設定制御手段１０１により設定されている設定値とに基づいて、報知ゲーム数を決定する。報知ゲーム数決定テーブル６７５は、設定１が「１０ゲーム」、設定２が「９ゲーム」…設定６が「３ゲーム」というように、高設定になるにつれて報知ゲーム数が短くなるように構成されている。すなわち、この実施形態では、高設定になるほど報知ゲーム数を短くして、当選したボーナス役に早期に入賞させることができるように構成されている。なお、当選しているボーナス役に早期に入賞するということは、ボーナス内部当選状態（ＲＴ３）である期間が短くなるということを意味する。換言すると、この構成では、ＡＴ期間中でないときにボーナス役を含む当選役グループに当選した場合、高設定になるほどＡＴ許容状態に移行するまでの待機期間が短くなる。
【０１０６】
なお、報知ゲーム数決定テーブル６７５は、適宜変更することができる。例えば、図９に示すように、設定値ごとに０〜２０１ゲームまでの各ゲームに対して選択確率が設定された報知ゲーム数決定テーブル６７５を設ける。このテーブル６７５によると、設定１よりも設定６の方が少ない報知ゲーム数が選択される確率が高くなっている。このように、図８のように報知ゲーム数が設定値で一義的に決まるようにはせずに、どの設定値でも０〜２００の間の報知ゲーム数が選択される可能性はあるが、選択される報知ゲーム数の平均値は高設定ほど小さくなるように報知ゲーム数決定テーブル６７５を設計してもよい。
【０１０７】
また、ボーナス種類報知ゲーム数決定手段１０８は、ＡＴ許容状態に移行する可能性がない当選役グループ「ＲＢＢ１＋通常リプレイ」〜「ＲＢＢ６４＋通常リプレイ」に当選した場合は、設定値共通の報知ゲーム数決定テーブルを用いて、持ち越しているボーナス役の種類を報知するまでの期間を決定するようにしてもよい。
【０１０８】
一方、ＡＴ期間中にボーナス役を含む当選役グループに当選した場合、ボーナス種類報知ゲーム数決定手段１０８は、設定値共通で報知ゲーム数を１ゲームに決定する（本発明の「共通の報知条件」に相当）。すなわち、ＡＴ期間中にボーナス役を含む当選役グループに当選した場合は、当選ゲームの次のゲームで液晶表示器２７に当選しているボーナス役の種類が報知される。なお、この場合（ＡＴ期間中）の報知ゲーム数は、例えば、「０ゲーム（当選ゲームで報知）」など、設定値で共通であれば、適宜変更することができる。
【０１０９】
（１０）コマンド作成手段１０９
図４のコマンド作成手段１０９は、役抽選手段１０３の役抽選結果に関する情報、各ストップスイッチ２１Ｌ，２１Ｍ，２１Ｒ、スタートスイッチ１９等の遊技者により操作される操作器具の操作に関する情報、入賞役に関する情報、ボーナス種類報知ゲーム数決定手段１０８で決定された報知ゲーム数に関する情報、などの種々の情報をサブ制御基板７３（サブＣＰＵ７１）に送信するためのコマンドを生成するものである。そして、コマンド作成手段１０９により生成されたコマンドは、後述するようにコマンド送信手段１１４によりサブ制御基板７３に送信される。サブ制御基板７３では、メイン制御基板６３から送られてきたコマンドに基づき、実行する演出を選択する。換言すれば、サブ制御基板７３において実行される演出内容を指示するコマンドがコマンド作成手段１０９により作成される。
【０１１０】
また、コマンド作成手段１０９は、スロットマシン１の状態および役抽選手段１０３の役抽選結果に基づいて、報知用表示器６０の報知態様に対応するコマンドを作成する。例えば、役抽選手段１０３の役抽選結果を構成する役の種類を特定可能なコマンド（例えば、「通常リプレイ」の場合は「$01」）を作成するとともに、報知用表示器６０の報知態様の種類を特定可能なコマンド（例えば、初期ＲＴ（ＮＯＭ）で非ＡＲＴ中の場合に当選役グループ「通常リプレイ」に当選した場合は「０（何も報知しないという報知態様）」）を作成する。
【０１１１】
（１１）リール検出手段１１０
図４のリール検出手段１１０は、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出するものである。この場合、リール検出手段１１０は、左・中・右リール１３Ｌ，１３Ｍ，１３Ｒの回転中および回転停止時に、所定の基準位置（この実施形態では例えば、表示窓１１の中段）に位置する図柄に対応するコマ番号をそれぞれ検出する。
【０１１２】
（１２）図柄判定手段１１１
図４の図柄判定手段１１１は、各リール１３Ｌ，１３Ｍ，１３Ｒそれぞれの回転位置に基づき、停止制御手段１０５により停止制御されて停止した各リール１３Ｌ，１３Ｍ，１３Ｒの図柄の表示態様が、予め定められた表示態様であるかどうかの判定を行うものであり、リール１３Ｌ，１３Ｍ，１３Ｒが停止したときの図柄の表示結果が所定の入賞態様であるかどうかを判定する。
【０１１３】
（１３）払出制御手段１１２
図４の払出制御手段１１２は、図柄判定手段１１１による判定結果に基づき、遊技者に所定の特典（利益）を付与するものであり、図柄判定手段１１１により、いずれかの役に入賞したと判定されたときに、メダル払い出しのある入賞であれば、クレジットメダルの貯留枚数が上限値（この実施形態では例えば５０枚）に達した後は、ホッパーユニット４３を動作させ、入賞した役に対応した払出数だけメダルを払い出して遊技者に利益を付与する。また、払出制御手段１１２は、クレジットメダルの貯留枚数が上限値に達するまでは、メダル払い出しとして、ホッパーユニット４３の動作に代えて上記払出数だけクレジットメダルを増加させる。
【０１１４】
さらに、払出制御手段１１２は、図柄判定手段１１１により再遊技役に入賞したと判定されたときに、規定数（３枚）のメダルが投入されたものとして次遊技の入賞ラインを有効とする。
【０１１５】
（１４）メダル制御手段１１３
図４のメダル制御手段１１３は、メダルセレクタ４８の動作を制御することにより、メダル受入可と受入不可とを切換えるものである。
【０１１６】
（１５）コマンド送信手段１１４
図４のコマンド送信手段１１４は、メイン制御基板６３からサブ制御基板７３へ、コマンド作成手段１０９により作成された種々の情報を含むコマンドを一方通行で送信するものである。この場合、一般遊技状態（ＮＯＭ、ＲＴ１、ＲＴ２）およびボーナス遊技状態（ＲＢＢ）などの遊技状態、役抽選手段１０３の役抽選結果、ボーナス種類報知ゲーム数決定手段１０８により決定された報知ゲーム数、図柄判定手段１１１による図柄判定結果、各リール１３Ｌ，１３Ｍ，１３Ｒの回転・停止状態、払出制御手段１１２によるメダルの払出状態などのスロットマシン１の状態を表す情報を含むコマンドをサブ制御基板７３へ送信する。
【０１１７】
また、コマンド送信手段１１４は、投入センサ５３による投入メダルの検出状態、ベットスイッチ１５および最大ベットスイッチ１７の操作状態などを表すデータを含むコマンドをサブ制御基板７３に送信する。また、コマンド送信手段１１４は、スタートスイッチ１９およびストップスイッチ２１Ｌ，２１Ｍ，２１Ｒなどの各種スイッチが遊技者により操作されたことを示すデータを含むコマンドをサブ制御基板７３に送信する。
【０１１８】
（１６）許容状態比率算出手段１１５
メイン制御基板６３には、図示省略の４つの７セグメントＬＥＤが実装されており、ＡＴ許容状態の滞在比率（許容状態滞在比率）や、総払出枚数に対するボーナスでの払出枚数の比率（役物比率）などの比率など、各種の比率が当該７セグメントＬＥＤで表示可能になっている。許容状態比率算出手段１１５は、各種比率のうち、許容状態滞在比率を算出するものである。この場合、許容状態比率算出手段１１５は、１ゲームを消化するごとに、総遊技数カウンタ６５５のカウント値を１ずつ加算する。当該カウンタ６５５は基本的にクリアされることなく半永久的に１ゲーム消化ごとに加算され続ける。また、許容状態比率算出手段１１５は、ＡＴ許容状態設定手段１００ｃによりＡＴ許容状態に設定されているゲームであるか否かを１ゲームごとに判定し、ＡＴ許容状態に設定されているゲーム（１ゲーム）を消化するたびに、総許容期間遊技数カウンタ６５６のカウント値を１ずつ加算する。総許容期間遊技数カウンタ６５６も総遊技数カウンタ６５５と同様に基本的にクリアされることがないように構成されている。そして、許容状態比率算出手段１１５は、総遊技数カウンタ６５５のカウント値と総許容期間遊技数カウンタ６５のカウント値とに基づいて、スロットマシン１のＡＴ許容状態である期間の比率を算出する。この比率は、許容状態滞在比率記憶領域６５７に記憶される。
【０１１９】
また、許容状態比率算出手段１１５は、毎ゲームで、全てのリール１３Ｌ，１３Ｍ，１３Ｒが停止してから当該ゲームが終了するまでの処理においてこの比率の算出をするとともに、該算出値を許容状態滞在比率記憶領域６５７に上書きして記憶させる。なお、毎ゲーム算出するのではなく、当該比率を表示するためにリセットスイッチ５２が押されたときなど、所定の契機で算出してもよい。このとき、リセットスイッチ５２が押されたときに、総遊技数カウンタ６５５に記憶されているカウント値と、総許容期間遊技数カウンタ６５６に記憶されているカウント値とに基づいて当該比率を算出する。このようにすると、許容状態比率算出手段１１５は、毎ゲームではなく、表示タイミングで許容状態滞在比率を算出するため、通常の遊技処理において過度の負担がかからなくすることができ、処理の効率化を図りながら遊技機の公平性を確保することができる。また、総ゲーム数が一定期間になる度に当該比率を算出し、一定値以上（例えば、６０％）になった回数を記憶するようにしてもよい。また、これらの比率（許容状態滞在比率、役物比率）を、ペイアウト表示器４６を利用して表示するようにしてもよい。
【０１２０】
（サブ制御基板）
次に、サブ制御基板７３について詳細に説明する。図４のサブ制御基板７３は、メイン制御基板６３から送信されたコマンドを受信し、メイン制御基板６３の動作や状態に応じた演出を行うものである。サブ制御基板７３は、メモリ７５（図３参照）に格納されたプログラムを実行することにより実現される種々の機能や、ハードウェアが制御されることにより実現される種々の機能を備えている。
【０１２１】
（１）コマンド受信手段２００
図４のコマンド受信手段２００は、メイン制御基板６３のコマンド送信手段１１４により送信された種々の情報を含むコマンドを受信するものである。コマンド受信手段２００は、メイン制御基板６３から送信されるコマンドを受信すれば、コマンドの種類に応じてサブ制御基板７３が備える各機能に通知を行う。
【０１２２】
（２）演出内容決定手段２０１
図４の演出内容決定手段２０１は、コマンド受信手段２００により受信されたコマンドに応じて、演出の内容を決定するためのものである。具体的には、遊技の進行や、役抽選手段１０３の役抽選結果などに対応して予め設定された演出パターンから、液晶表示器２７に表示される動画を決定したり、スピーカ３１Ｌ，３１Ｒから流れる音楽や音声を決定したり、上部ランプ部３３や下部ランプ部３７Ｌ，３７Ｒの光源を一斉にあるいは個別に点滅したりするなどの演出を決定する。この場合、演出内容決定手段２０１は、報知用表示器６０の報知態様に対応する報知演出を実行する演出内容に決定する。
【０１２３】
例えば、演出内容決定手段２０１は、ＡＴ中に押し順ベルに内部当選した場合は、その種類に応じて設定された有利な押し順を液晶表示器２７に表示するという演出内容に決定する。また、ボーナス役を含む当選役グループに当選したという役抽選結果に関する情報と、ボーナス種類報知ゲーム数決定手段１０８が決定した報知ゲーム数に関する情報とをコマンド受信手段２００が受信した場合、演出内容決定手段２０１は、当該ボーナス役に当選したゲームから報知ゲーム数を消化したゲームにおいて、内部当選しているボーナス役の種類を液晶表示器２７に表示するという演出内容に決定する。ここで、ボーナス種類報知ゲーム数決定手段１０８が決定した報知ゲーム数に基づいて、演出内容決定手段２０１が液晶表示器２７で持ち越しているボーナス役の種類を報知するタイミングを制御する機能が、本発明の「報知制御手段」に相当する。なお、持ち越しているボーナス役の種類を報知する他の方法として、まず、メイン制御基板６３で持ち越しているボーナス役の種類を報知するタイミングを決定した上で、コマンド送信手段１１４がその旨を特定するコマンドをサブ制御基板７３に送信し、サブ制御基板７３が当該コマンドに基づいてボーナス種類を報知する演出を行うようにしてもよい。
【０１２４】
なお、この実施形態では、ＡＴ期間中にボーナス役を含む当選役グループに当選した場合は、どの設定値でも当選ゲームの次のゲームで当該ボーナス役の種類を報知するように構成されているため、ＡＴ期間中にボーナス役を含む当選役グループに当選しても、ボーナス種類報知ゲーム数決定手段１０８は、報知ゲーム数を決定しないようにしてもよい。この場合、演出内容決定手段２０１は、コマンド受信手段２００がＡＴ期間中にボーナス役を含む当選役グループに当選したという情報を受信した場合は、その次の遊技で当該ボーナス役の種類を報知するという演出内容に決定するようにすればよい。
【０１２５】
また、この実施形態では、ボーナス内部当選状態（ＲＴ３）において液晶表示器２７でボーナス役の種類が報知される前に、当該ボーナス役に入賞した場合は、ボーナス役の種類の報知後に当該ボーナス役に入賞した場合では行われない特定演出が行われる。この特定演出についても演出内容決定手段２０１が決定する。なお、特定演出としては、例えば、設定値に応じて設定された演出など、実行されると現在の設定値を推測可能な演出などが挙げられる。
【０１２６】
そして、演出内容決定手段２０１は、決定した演出内容に関するデータを含む信号を表示制御手段２０２および音声制御手段２０３に送信する。
【０１２７】
（３）表示制御手段２０２
図４の表示制御手段２０２は、演出内容決定手段２０１から送信された信号に含まれるデータに基づいて、液晶表示器２７に動画（画像）を表示したり、上部ランプ部３３や下部ランプ部３７Ｌ，３７Ｒなどの光源を一斉にあるいは個別に点滅したりするなどの制御を行うものである。
【０１２８】
（４）音声制御手段２０３
図４の音声制御手段２０３は、演出内容決定手段２０１から送信された信号に含まれるデータに基づいて、スピーカ３１Ｌ，３１Ｒから音楽を流したり、音声を出力したりするなど制御を行うものである。
【０１２９】
（遊技性）
次に、この実施形態の遊技性について、図１０を参照して説明する。なお、図１０は、設定１と設定６とを同じゲーム数で比較した場合、ＡＴ許容当選がどのようになるかの傾向を示している。
【０１３０】
この例では、ＡＴ非許容状態におけるＡＴ許容当選に無関係な当選役グループ「ＲＢＢ１＋通常リプレイ」〜「ＲＢＢ６４＋通常リプレイ」の当選と、ＡＴ許容状態におけるボーナス役を含む当選役グループの当選とを考慮しないこととする。
【０１３１】
図１０に示すように、例えば１回目の当選役グループ「ＲＢＢ１」〜「ＲＢＢ６４」のいずれかへの当選（以下、ボーナス当選という場合もある。）が、設定１と設定６で同じゲーム数であったとする。上述のようにボーナス役に当選しても、当該ボーナス役の種類が分からなければ、入賞させることが難しいので、基本的に、ボーナス当選しても当選ゲームでは入賞せずに、次のゲームからボーナスの持越し状態であるボーナス内部当選状態（ＲＴ３）に移行する。設定６は設定１と比較して、持ち越しているボーナス役の種類が報知されるまでのゲーム数が少ないため、ボーナス内部当選状態（ＲＴ３）に滞在する期間（ゲーム数）は設定６よりも設定１の方が長くなる。換言すると、ボーナス当選してから当該ボーナス役に入賞してＡＴ許容状態になるまでの待機期間は設定６よりも設定１の方が長くなる。したがって、設定１と設定６で同じゲーム数でボーナス当選しても、ＡＴ期間の継続期間が同じの場合は、ボーナス遊技状態ＲＢＢの終了後に開始するＡＴ期間が終了するタイミングは、設定１よりも設定６の方が早くなる。
【０１３２】
当選役グループ「ＲＢＢ１」〜「ＲＢＢ６４」の当選確率は、各設定値で同じに設定されることから、１回目のボーナス当選に伴うＡＴ期間が終了してから、２回目のボーナス当選までのゲーム数が設定１と設定６とで同じゲーム数であったとする。この場合、設定６の２回目のボーナス当選のタイミングは、設定１の２回目のボーナス当選のタイミングよりも早くなる。また、１回目のボーナス当選の場合と同様、２回目のボーナス当選の場合も、設定６は設定１と比較して、持ち越しているボーナス役の種類が報知されるまでのゲーム数が少ないため、ボーナス内部当選状態（ＲＴ３）に滞在する期間（ゲーム数）は設定６よりも設定１の方が長くなる。そのため、ＡＴ期間（２回目）の継続期間が同じ場合、設定１と設定６とで２回目のＡＴ期間が終了するタイミングの差は、１回目のＡＴ期間が終了するタイミングの差よりも広がる。
【０１３３】
このように、３回目のボーナス当選以降も同様な条件で消化したとすると、設定１と設定６とで当選役グループ「ＲＢＢ１」〜「ＲＢＢ４」の当選確率が同じ値に設定されている場合であっても、同じ遊技期間では、設定１が３回のボーナス当選であるのに対して設定６が４回のボーナス当選となる。また、当選役グループ「ＲＢＢ１」〜「ＲＢＢ６４」は、終了後にＡＴ期間が付与されるため、設定１が３回のＡＴ期間が付与されるのに対して、設定６が４回のＡＴ期間が付与されることになる。すなわち、この実施形態では、ＡＴ許容当選の可能性がない期間である、ボーナス当選から、当該ボーナス役に入賞してＡＴ許容状態に移行するまでの待機期間を高設定ほど短くすることで、一定遊技期間に対するＡＴ許容当選の可能性がある期間の比率を高設定ほど高くする。この構成によれば、設定１と設定６とでＡＴ許容当選となる当選役グループ「ＲＢＢ１」〜「ＲＢＢ６４」の当選確率が同じであっても、同じゲーム数で比較した場合、ＡＴ許容当選回数（当選役グループ「ＲＢＢ１」〜「ＲＢＢ６４」の当選回数）の期待値は、設定１よりも設定６の方が高くなる。
【０１３４】
したがって、上記した実施形態によれば、設定値が高くなるにつれてＡＴ許容状態への移行回数の期待値が高くなるため、ＡＴ許容状態への移行に関して設定値で差を設けることができる。また、ＡＴ許容状態への移行に関して設定値で差を設けるために、ＡＴ許容抽選にかかる当選役グループ「特殊役」の抽選値を、設定値ごとに変える必要がない。したがって、当選役グループ「ＲＢＢ１」〜「ＲＢＢ６４」それぞれの抽選値を各設定値で共用することにより、役抽選テーブル６７１の抽選値を記憶するのに必要な記憶容量の削減を図ることができる。なお、ＡＴ許容状態の決定に関しては一括抽選方式の例で説明を行ったが、これに限らず別抽選方式を用いても同様である。
【０１３５】
また、当選役グループ「特殊役」は各設定値で抽選値が同じに設定されているため、この当選役グループについてもＡＴ許容当選となり得る役に設定すれば、ボーナス役の種類の報知ゲーム数を高設定ほど少なくすることで形成された通常状態滞在比率（全遊技期間に対するＡＴ許容抽選が行われる可能性がある期間の比率）の差を利用して、ＡＴ許容当選回数の期待値に設定差を設けることができる。また、この際、当選役グループ「特殊役」の抽選値を各設定値で共用できるため、ＡＴ許容当選回数の期待値に設定差を設けても、役抽選に必要なデータ量が増大するのを防止できる。
【０１３６】
また、ボーナス内部当選状態（ＲＴ３）およびボーナス遊技状態（ＲＢＢ）では、ＡＴ許容抽選を行わないため、これらの遊技状態でＡＴ許容抽選を行うことにより遊技者に過度の利益を付与するのを防止することができる。
【０１３７】
また、ＡＴ期間中にボーナス役を含む当選役グループに当選した場合は、設定値に関係なく、当選ゲームの次のゲームで当該ボーナス役の種類を報知することにより、ＡＴ期間中のボーナス役の種類の報知に設定値で差をなくすことができるため、遊技者の興趣の向上を図ることができる。
【０１３８】
また、ボーナス内部当選状態（ＲＴ３）で持ち越されているボーナス役の種類が報知される前に、自力でボーナス役に入賞した場合は、現在の設定値を示唆する特定演出が液晶表示器２７で行われるため、遊技性が多様して遊技者の興趣の向上を図ることができる。
【０１３９】
＜第２実施形態＞
本発明の第２実施形態について図１１を参照して説明する。
【０１４０】
この実施形態が、第１実施形態と異なるところは、ボーナス役を含む当選役グループの当選確率の構成が異なることと、ボーナス種類報知ゲーム数決定手段１０８の構成が異なることと、ＡＴ期間の終了条件が異なることである。その他の構成は第１実施形態と同じであるため、同一符号を付すことにより説明を省略する。
【０１４１】
この場合、ボーナス役のみを含む当選役グループ「ＲＢＢ１」〜「ＲＢＢ６４」の当選確率は、第１実施形態と同様に各設定値で同じであるが、再遊技役を含む当選役グループ「ＲＢＢ１＋通常リプレイ」〜「ＲＢＢ６４＋通常リプレイ」それぞれの抽選値は、設定値が大きくなるにつれて小さい値に設定される。すなわち、再遊技役を含む当選役グループ「ＲＢＢ１＋通常リプレイ」〜「ＲＢＢ６４＋通常リプレイ」それぞれは、高設定ほど当選し難くなっている。
【０１４２】
また、ボーナス種類報知ゲーム数決定手段１０８は、ＡＴ非許容状態でボーナス役を含む当選役グループに当選した場合は、各設定値で同じ値に設定された報知ゲーム数決定テーブル６７５を用いて持ち越しているボーナス役の種類を報知するゲーム数（報知ゲーム数）を決定する。そのため、報知ゲーム数は各設定で同じとなる。なお、この実施形態でも、ボーナス種類報知ゲーム数決定手段１０８は、第１実施形態と同じ報知ゲーム数決定テーブル６７５を用いて報知ゲーム数を決定してもよい。この場合、報知ゲーム数が高設定ほど短くなる。一方、ＡＴ許容状態でボーナス役を含む当選役グループに当選した場合は、第１実施形態と同様に、当選ゲームの次のゲームでボーナス役の種類が報知される。
【０１４３】
また、第１実施形態のＡＴ許容状態設定手段１００ｃは、ＡＴ期間遊技数カウンタ６５４のカウント値が０になるというＡＴ許容状態の終了条件が成立した場合、または、当該終了条件が成立することなく、許容期間遊技数カウンタ６５３のカウント値が所定値（例えば、１５００）となった場合は、スロットマシン１をＡＴ非許容状態に設定する（ＡＴ許容状態の終了）ように構成したが、この実施形態のＡＴ許容状態設定手段１００ｃは、ＡＴ期間中に当選役グループ「ＲＢＢ１＋通常リプレイ」〜「ＲＢＢ６４＋通常リプレイ」のいずれかに当選（非特別結果）するという終了条件が成立した場合、または、当該終了条件が成立することなく、許容期間遊技数カウンタ６５３のカウント値が所定値（例えば、１５００）となった場合に、スロットマシン１をＡＴ非許容状態に設定する（ＡＴ許容状態の終了）。すなわち、ＡＴ期間は、原則として、ボーナス役を含む当選役グループに当選すると終了するが、非ＡＴ許容状態で当選するとＡＴ許容当選となる当選役グループ「ＲＢＢ１」〜「ＲＢＢ６４」に当選した場合にのみ例外的に継続する。なお、この実施形態では、ＡＴ許容当選した場合にＡＴ期間の初期ゲーム数の決定や、上乗せゲーム数の決定が行われないため、第１実施形態の初期ゲーム数決定手段１００ｄ、上乗せ抽選手段１００ｅ、ＡＴ初期ゲーム数振分テーブル６７３、ＡＴ上乗せ抽選テーブル６７４、ＡＴ期間遊技数カウンタ６５４は不要となる。
【０１４４】
（遊技性）
この実施形態の遊技性について、図１１を参照して説明する。なお、図１１は、設定１と設定６とを同じゲーム数で比較した場合、ＡＴ期間（ＡＴ許容状態）がどのようになるかの傾向を示している。
【０１４５】
この場合、ＡＴ非許容状態で当選するとＡＴ許容当選となる当選役グループ「ＲＢＢ１」〜「ＲＢＢ６４」の当選確率は、設定１と設定６とで同じであることから、同じゲーム数で当選役グループ「ＲＢＢ１」〜「ＲＢＢ６４」のいずれかに当選したとする。持ち越しているボーナス役の種類を報知するゲーム数は、両設定値で同じであるため、ＡＴ期間が開始するタイミングも同じとする。ＡＴ期間の終了条件は、当選役グループ「ＲＢＢ１＋通常リプレイ」〜「ＲＢＢ６４＋通常リプレイ」のいずれかに当選することであるが、当該当選役グループの当選確率は、高設定ほど低いため、設定１では、設定６よりも早いタイミングで当選役グループ「ＲＢＢ１＋通常リプレイ」〜「ＲＢＢ６４＋通常リプレイ」に当選してＡＴ許容状態（ＡＴ期間）が終了する。一方、設定６では、ＡＴ期間中に当選役グループ「ＲＢＢ１＋通常リプレイ」〜「ＲＢＢ６４＋通常リプレイ」のいずれかに当選する前に当選役グループ「ＲＢＢ１」〜「ＲＢＢ６４」のいずれかに当選したとする。この場合はボーナス遊技状態（ＲＢＢ）の終了後にＡＴ期間に復帰し、その後、当選役グループ「ＲＢＢ１」〜「ＲＢＢ６４」のいずれかへの当選とＡＴ期間の復帰とが繰り返され、設定１よりも遅いタイミングで当選役グループ「ＲＢＢ１＋通常リプレイ」〜「ＲＢＢ６４＋通常リプレイ」のいずれかに当選してＡＴ期間が終了する。
【０１４６】
このようなことが繰り返された場合、同じ遊技期間（ゲーム数）で比較した場合、ＡＴ非許容状態で当選役グループ「ＲＢＢ１」〜「ＲＢＢ６４」のいずれかに当選する回数の期待値は低設定ほど高くなるが、ＡＴ許容状態に移行してからＡＴ非許容状態に移行するまでの期間の合算の期待値は、高設定ほど高くなる。すなわち、ＡＴ許容状態の滞在比率（全遊技期間に対するＡＴ許容状態である期間の比率）については高設定ほど高くなる。なお、第１実施形態と同じ報知ゲーム数決定テーブル６７５を用いる場合は、ＡＴ許与当選の可能性がないボーナス内部当選状態（ＲＴ３）の継続期間が高設定ほど短くなるため、ＡＴ許容状態の滞在比率については高設定ほどさらに高くなる。
【０１４７】
したがって、この実施形態によれば、ＡＴ許容状態の終了にかかる当選役グループの当選確率を高設定ほど低くすることで、一旦移行したＡＴ許容状態が高設定ほど終了し難くなる。すなわち、ＡＴ許容状態（ＡＴ期間）の継続期間について、設定差を設けることができる。また、ＡＴ許容状態への移行に関して設定差を設けるために、ＡＴ許容抽選にかかる当選役グループ「ＲＢＢ１」〜「ＲＢＢ６４」それぞれの抽選値を、設定値ごとに変える必要がない。したがって、当選役グループ「ＲＢＢ１」〜「ＲＢＢ６４」それぞれの抽選値を各設定値で共用することにより、役抽選テーブル６７１の抽選値を記憶するのに必要な記憶容量の削減を図ることができる。
【０１４８】
なお、本発明は上記した実施形態に限定されるものではなく、その趣旨を逸脱しない限りにおいて上述したもの以外に種々の変更を行うことが可能である。例えば、上記した実施形態では、高設定になるほどボーナス報知ゲーム数が短くなるようにして、ＡＴ許容当選回数の期待値が高設定ほど高くなるように構成したが、持ち越しているボーナス役の種類の報知を、当選役グループ「特殊役」などの所定役に当選したときに行うようにした上で、ボーナス内部当選状態（ＲＴ３）の当該所定役の当選確率が高設定ほど高くなるようにしてもよい。このようにすると、高設定ほどボーナス内部当選状態（ＲＴ３）の継続期間が短くなるため、上記した実施形態と同様の効果を得ることができる。
【０１４９】
また、上記した各実施形態では、ボーナス役を含む当選役グループのうち、ボーナス役のみで構成される当選役グループ「ＲＢＢ１」〜「ＲＢＢ６４」に当選した場合は、ＡＴ許容当選となり、当選役グループ「ＲＢＢ１＋通常リプレイ」〜「ＲＢＢ６４＋通常リプレイ」に当選した場合は、ＡＴ許容当選とはならない場合について説明したが、逆であってもよい。また、ボーナス役のみの当選役グループ（ボーナス単独当選）と、ボーナス役とその他の一般役とを含む当選役グループ（ボーナス重複当選）とに分けてＡＴ許容当選の可能性の有無を設定する場合に限らず、例えば、ボーナス単独当選の一部にＡＴ許容当選を付与し、残りには付与しないようにしたり、ボーナス重複当選の一部にＡＴ許容当選を付与し、残りには付与しないようにする構成であってもよい。
【０１５０】
また、上記した実施形態では、ボーナス遊技状態（ＲＢＢ）ではＡＴ許容抽選を行わないように構成したが、ボーナス遊技状態（ＲＢＢ）中もＡＴ許容抽選を行ってもよい。この場合、ボーナス内部当選状態（ＲＴ３）を除く遊技状態（初期ＲＴ（ＮＯＭ）、通常ＲＴ（ＲＴ１）、有利ＲＴ（ＲＴ２）、ボーナス遊技状態（ＲＢＢ））が、本発明の「一般遊技状態」に相当する。
【０１５１】
また、上記した各実施形態では、当選役グループ「昇格リプレイ」に内部当選した場合は、役名称「ＲＲＵ１」か「ＲＲＵ２」のいずれかに入賞して、必ず有利ＲＴ（ＲＴ２）に移行するように構成したが、例えば、当選役グループ「昇格リプレイ」の構成役に有利ＲＴ（ＲＴ２）への移行とは無関係の役名称「ＲＰＣ（通常リプレイ）」を加え、内部当選時のストップスイッチ２１Ｌ，２１Ｍ，２１Ｒの押し順によって、入賞する構成役の種類が変わるように構成してもよい。この場合、例えば、特定の押し順（正解の押し順））でストップスイッチ２１Ｌ，２１Ｍ，２１Ｒが操作されると、有利ＲＴ（ＲＴ２）への移行にかかる役（「ＲＲＵ１」または「ＲＲＵ２」）に入賞し、その他の押し順で操作されると通常リプレイに入賞するように構成する。そして、ＡＴ準備中に当選役グループ「昇格リプレイ」に内部当選した場合は、正解の押し順を報知して、通常ＲＴ（ＲＴ１）から有利ＲＴ（ＲＴ２）への移行を誘導するようにするとよい。
【０１５２】
また、ＡＴ許容抽選に当選したか否かの判定処理と、ＡＴ許容抽選に当選した場合の初期ゲーム数の決定処理は、同じタイミングで行い、ＡＴ許容抽選に非当選の場合は同時に決定した初期ゲーム数を無効にするようにしてもよいし、まず、ＡＴ許容抽選に当選したか否かの判定処理を行い、この抽選で当選となったことを条件に初期ゲーム数の決定処理を行ってもよい。
【０１５３】
また、ＡＴ期間中に押し順ベルに当選した際、ストップスイッチ２１Ｌ，２１Ｍ，２１Ｒの有利な操作態様として、「押し順」を報知するように構成したが、例えば、特定リールに対応するストップスイッチ２１Ｌ，２１Ｍ，２１Ｒの操作タイミングで有利な役に入賞するか否かが決定する役を設ける場合は、ＡＴ期間中に報知する有利な操作態様は、特定ストップスイッチ２１Ｌ，２１Ｍ，２１Ｒの操作タイミングであってもかまわない。また、ストップスイッチ２１Ｌ，２１Ｍ，２１Ｒの押し順と操作タイミングの両方が有利な操作態様に関連しているものでもかまわない。
【０１５４】
また、上記した実施形態では、報知用表示器６０がメイン制御基板６３で制御される場合について説明したが、サブ制御基板７３と独立したもので制御されていればよい。
【０１５５】
また、上記した各実施形態では、本発明の遊技機としてスロットマシン１を例に挙げて説明したが、スロットマシンとパチンコ機とを組み合わせたパロットと称される遊技機に本発明を適用してもよく、このような遊技機に本発明を適用する場合、遊技用価値としての遊技球（パチンコ玉）を採用すればよい。さらに、本発明の遊技機を、コンピュータプログラムが実行されることによるビデオゲームに適用してもよい。また、本発明の表示手段を、液晶ディスプレイやＣＲＴなどの画像表示装置を用いて、この画像表示装置に複数の図柄を順次表示させることにより構成してもよい。また、可変表示列の数は２列以上であればよく、遊技の態様に応じて適宜最適な数の可変表示列を構成すればよい。
【０１５６】
そして、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機に本発明を広く適用することができる。
【符号の説明】
【０１５７】
１…スロットマシン（遊技機）、１３Ｌ，１３Ｍ，１３Ｒ…リール（可変表示列、表示手段）、１４Ｌ，１４Ｍ，１４Ｒ…リールモータ（表示手段）、２１Ｌ，２１Ｍ，２１Ｒ…ストップスイッチ（停止操作手段）、２７…液晶表示器（ボーナス種類報知手段）、１００…遊技制御手段（特殊遊技制御手段）、１０１…設定制御手段（設定値設定手段）、１０３…役抽選手段、１０３ｂ…抽選値判定決定手段（許容状態決定手段）、１０８…ボーナス種類報知ゲーム数決定手段（報知制御手段）、２０１…演出内容決定手段（報知制御手段）
【図１】
2018050933.tif 000003
【図２】
2018050933.tif 000004
【図３】
2018050933.tif 000005
【図４】
2018050933.tif 000006
【図５】
2018050933.tif 000007
【図６】
2018050933.tif 000008
【図７】
2018050933.tif 000009
【図８】
2018050933.tif 000010
【図９】
2018050933.tif 000011
【図１０】
2018050933.tif 000012
【図１１】
2018050933.tif 000013